(57)【要約】  本開示は、話中回線を処理する方法、装置、およびシステムに関し、通信分野に属する。本方法は、第１端末が第２端末に対して第１呼び出し要求を開始し、第２端末が第１端末に対して第２呼び出し要求を開始しているかどうかを検出するステップと、第１端末が第２端末に対して第１呼び出し要求を開始し、第２端末が第１端末に対して第２呼び出し要求を開始していることが検出された場合、第１端末を第２端末と接続するか、第１端末が開始した第１呼び出し要求または第２端末が開始した第２呼び出し要求を中止するステップとを含む。２つの端末が互いへの呼び出し要求を開始することによって回線が話中になるという問題を解決することにより、２つの端末が互いへの呼び出し要求を開始した場合に、サーバによって２つの端末を接続するか、２つの端末のうち一方が開始した呼び出し要求を中止することによって、２つの端末が互いを呼び出す際の時間の無駄を避けることができるため、時間の節約と効率向上になる。
2016519913.tif 000002
【特許請求の範囲】
【請求項１】
第１端末が第２端末に対して第１呼び出し要求を開始し、前記第２端末が前記第１端末に対して第２呼び出し要求を開始しているかどうかを検出するステップと、
前記第１端末が前記第２端末に対して前記第１呼び出し要求を開始し、前記第２端末が前記第１端末に対して前記第２呼び出し要求を開始していることが検出された場合、前記第１端末を前記第２端末と接続するか、前記第１端末が開始した前記第１呼び出し要求または前記第２端末が開始した前記第２呼び出し要求を中止するステップとを含む、話中回線を処理する方法。
【請求項２】
前記第１端末が前記第２端末に対して前記第１呼び出し要求を開始し、前記第２端末が前記第１端末に対して前記第２呼び出し要求を開始しているかどうかを検出するステップは、
前記第１端末が開始した前記第１呼び出し要求における番号が前記第２端末の番号であるかどうかと、前記第２端末が開始した前記第２呼び出し要求における番号が前記第１端末の番号であるかどうかを検出するステップを含む、請求項１に記載の方法。
【請求項３】
前記第１端末が開始した前記第１呼び出し要求または前記第２端末が開始した前記第２呼び出し要求を中止するステップは、
前記第１呼び出し要求の開始時刻および前記第２呼び出し要求の開始時刻に応じて、前記第１呼び出し要求および前記第２呼び出し要求のうち開始時刻が遅い方を決定するステップと、
前記開始時刻が遅い方の呼び出し要求を中止するステップとを含む、請求項１に記載の方法。
【請求項４】
前記第１端末が開始した前記第１呼び出し要求が中止された後に、前記第１端末が前記第１呼び出し要求の開始を継続しないことを示すために用いる中止処理報知メッセージを前記第１端末に送信するステップ、または、
前記第２端末が開始した前記第２呼び出し要求が中止された後に、前記第２端末が前記第２呼び出し要求の開始を継続しないことを示すために用いる中止処理報知メッセージを前記第２端末に送信するステップをさらに含む、請求項１〜３のいずれかに記載の方法。
【請求項５】
呼び出した端末が話中状態である場合に、番号問合要求を送信するステップと、
前記番号問合要求に対して、前記呼び出した端末が開始した呼び出し要求に応じたフィードバックを受信するステップと、
前記呼び出した端末が本端末を呼び出していることを前記フィードバックが示している場合に、前記本端末を前記呼び出した端末と接続することをサーバに対して要求するために用いる接続要求を前記サーバに送信するか、前記呼び出した端末が開始した前記呼び出し要求を中止することを要求するために用いる中止要求を前記サーバまたは前記呼び出した端末に送信するステップとを含む、話中回線を処理する方法。
【請求項６】
前記番号問合要求に対して前記フィードバックを受信するステップは、
前記番号問合要求が前記サーバに送信された場合、前記サーバが送信した前記フィードバックを受信するステップであって、前記フィードバックには、前記呼び出した端末が開始した前記呼び出し要求における番号が含まれる、ステップ
または、
前記番号問合要求が前記サーバに送信された場合、前記サーバが送信した検出結果を含む前記フィードバックを受信するステップであって、前記検出結果は、前記呼び出した端末が開始した前記呼び出し要求における前記番号が前記本端末の番号であるかどうかを検出した後に前記サーバによって取得される、ステップ
または、
前記番号問合要求が前記サーバを介して前記呼び出した端末に送信された場合、前記サーバが送信した検出結果を含む前記フィードバックを受信するステップであって、前記検出結果は、前記呼び出した端末が開始した前記呼び出し要求における前記番号が前記本端末の番号であるかどうかを検出した後に前記呼び出した端末によって取得される、ステップ
または、
前記番号問合要求が前記呼び出した端末に直接送信された場合、前記呼び出した端末が送信した前記フィードバックを受信するステップであって、前記フィードバックには、前記呼び出した端末が開始した前記呼び出し要求における前記番号が含まれる、ステップ
または、
前記番号問合要求が前記呼び出した端末に直接送信された場合、前記呼び出した端末が送信した検出結果を含む前記フィードバックを受信するステップであって、前記検出結果は、前記呼び出した端末が開始した前記呼び出し要求における前記番号が前記本端末の番号であるかどうかを検出した後に前記サーバまたは前記呼び出した端末によって取得される、ステップを含む、請求項５に記載の方法。
【請求項７】
呼び出した端末が話中状態である場合に、本端末が送信する番号問合要求を受信するステップと、
前記呼び出した端末が開始した呼び出し要求に応じてフィードバックを前記本端末に送信するステップであって、前記フィードバックは、前記呼び出した端末が前記本端末を呼び出していることを前記フィードバックが示している場合に、前記本端末にサーバに対して接続要求を送信させるか、前記サーバまたは前記呼び出した端末に対して中止要求を送信させるために用い、前記接続要求は、前記本端末を前記呼び出した端末と接続することを前記サーバに要求するために用い、前記中止要求は、前記呼び出した端末が開始した前記呼び出し要求を中止することを要求するために用いる、ステップとを含む、話中回線を処理する方法。
【請求項８】
前記呼び出した端末が開始した呼び出し要求に応じてフィードバックを前記本端末に送信するステップは、
前記呼び出した端末が開始した前記呼び出し要求における番号を、前記フィードバックに含めることによって前記本端末に送信するステップ
または、
前記呼び出した端末が開始した前記呼び出し要求における前記番号が前記本端末の番号であるかどうかを検出し、検出結果を前記フィードバックに含めることによって前記本端末に送信するステップを含む、請求項７に記載の方法。
【請求項９】
前記呼び出した端末が前記本端末を呼び出していることを前記フィードバックが示している場合に、前記本端末が前記サーバに送信する接続要求を受信するステップと、
前記接続要求に応じて前記本端末を前記呼び出した端末と接続するステップとをさらに含む、請求項７または８に記載の方法。
【請求項１０】
前記呼び出した端末が前記本端末を呼び出していることを前記フィードバックが示している場合に、前記本端末が前記サーバに送信する中止要求を受信するステップと、
前記中止要求に応じて、前記呼び出した端末が開始した前記呼び出し要求を中止するステップとをさらに含む、請求項７または８に記載の方法。
【請求項１１】
前記呼び出した端末が開始した前記呼び出し要求が中止された後に、前記呼び出した端末に対して中止処理報知メッセージを送信するステップをさらに含み、前記中止処理報知メッセージは、前記呼び出した端末が前記呼び出し要求の開始を継続しないことを示すために用いる、請求項１０に記載の方法。
【請求項１２】
前記呼び出した端末が開始した呼び出し要求に応じてフィードバックを前記本端末に送信するステップは、
前記呼び出した端末が開始した前記呼び出し要求における番号を前記フィードバックに含めることによって前記本端末に直接送信するか、前記サーバを介して前記本端末に送信するステップ
または、
前記呼び出した端末が開始した前記呼び出し要求における前記番号が前記本端末の番号であるかどうかを検出し、検出結果を前記フィードバックに含めることによって前記本端末に送信するか、前記サーバを介して前記本端末に送信するステップを含む、請求項７に記載の方法。
【請求項１３】
前記呼び出した端末が前記本端末を呼び出していることを前記フィードバックが示している場合に、前記本端末が前記呼び出した端末に送信する中止要求を受信するステップと、
前記中止要求に応じて、前記呼び出し要求を中止するステップとをさらに含む、請求項１２に記載の方法。
【請求項１４】
呼び出した端末が本端末を呼び出していることを前記本端末がサーバから受信したフィードバックが示している場合に、前記本端末が前記呼び出した端末に送信する中止要求を受信するステップであって、前記フィードバックは、前記呼び出した端末が話中状態である場合に前記本端末が前記サーバに送信する番号問合要求に対するフィードバックである、ステップと、
前記中止要求に応じて前記呼び出し要求を中止するステップとを含む、話中回線を処理する方法。
【請求項１５】
前記中止要求に応じて前記呼び出し要求を中止するステップは、
前記中止要求が受信された場合に、前記呼び出し要求を自動的に中止するステップ
または、
前記中止要求が受信された場合に、前記中止要求を表示するステップと、前記中止要求に対してフィードバック信号を受信するステップと、前記フィードバック信号に応じて前記呼び出し要求を中止するステップとを含む、請求項１４に記載の方法。
【請求項１６】
第１端末が第２端末に対して第１呼び出し要求を開始し、前記第２端末が前記第１端末に対して第２呼び出し要求を開始しているかどうかを検出するように構成される検出モジュールと、
前記第１端末が前記第２端末に対して前記第１呼び出し要求を開始し、前記第２端末が前記第１端末に対して前記第２呼び出し要求を開始していることを前記検出モジュールが検出した場合、前記第１端末を前記第２端末と接続するか、前記第１端末が開始した前記第１呼び出し要求または前記第２端末が開始した前記第２呼び出し要求を中止するように構成される処理モジュールとを備える、話中回線を処理する装置。
【請求項１７】
前記検出モジュールは、前記第１端末が開始した前記第１呼び出し要求における番号が前記第２端末の番号であるかどうかと、前記第２端末が開始した前記第２呼び出し要求における番号が前記第１端末の番号であるかどうかとを検出するようにさらに構成される、請求項１６に記載の装置。
【請求項１８】
前記処理モジュールは、
前記第１呼び出し要求の開始時刻および前記第２呼び出し要求の開始時刻に応じて、前記第１呼び出し要求および前記第２呼び出し要求のうち開始時刻が遅い方を決定するように構成される決定ユニットと、
前記開始時刻が遅い方の呼び出し要求を中止するように構成される中止ユニットとを備える、請求項１６に記載の装置。
【請求項１９】
前記第１端末が開始した前記第１呼び出し要求が前記処理モジュールによって中止された後に、前記第１端末が前記第１呼び出し要求の開始を継続しないことを示すために用いる中止処理報知メッセージを前記第１端末に送信するように構成される送信モジュールをさらに備え、あるいは、
前記送信モジュールは、前記第２端末が開始した前記第２呼び出し要求が前記処理モジュールによって中止された後に、前記第２端末が前記第２呼び出し要求の開始を継続しないことを示すために用いる中止処理報知メッセージを前記第２端末に送信するようにさらに構成される、請求項１６〜１８のいずれかに記載の装置。
【請求項２０】
呼び出した端末が話中状態である場合に、番号問合要求を送信するように構成される送信モジュールと、
前記番号問合要求に対して、前記呼び出した端末が開始した呼び出し要求に応じたフィードバックを受信するように構成される受信モジュールと、
前記呼び出した端末が本端末を呼び出していることを前記フィードバックが示している場合、前記本端末を前記呼び出した端末と接続することをサーバに対して要求するために用いる接続要求を前記サーバに送信するように構成される接続要求モジュール、または、前記呼び出した端末が開始した前記呼び出し要求を中止することを要求するために用いる中止要求を前記サーバもしくは前記呼び出した端末に送信するように構成される中止要求モジュールとを備える、話中回線を処理する装置。
【請求項２１】
前記受信モジュールは、前記番号問合要求が前記サーバに送信された場合、前記サーバが送信した前記フィードバックを受信するようにさらに構成され、前記フィードバックには、前記呼び出した端末が開始した前記呼び出し要求における番号が含まれる
または、
前記受信モジュールは、前記番号問合要求が前記サーバに送信された場合、前記サーバが送信した検出結果を含む前記フィードバックを受信するようにさらに構成され、前記検出結果は、前記呼び出した端末が開始した前記呼び出し要求における前記番号が前記本端末の番号であるかどうかを検出した後に前記サーバによって取得される
または、
前記受信モジュールは、前記番号問合要求が前記サーバを介して前記呼び出した端末に送信された場合、前記サーバが送信した検出結果を含む前記フィードバックを受信するようにさらに構成され、前記検出結果は、前記呼び出した端末が開始した前記呼び出し要求における前記番号が前本記端末の番号であるかどうかを検出した後に前記呼び出した端末によって取得される
または、
前記受信モジュールは、前記番号問合要求が前記呼び出した端末に直接送信された場合、前記呼び出した端末が送信した前記フィードバックを受信するようにさらに構成され、前記フィードバックには、前記呼び出した端末が開始した前記呼び出し要求における前記番号が含まれる
または、
前記受信モジュールは、前記番号問合要求が前記呼び出した端末に直接送信された場合、前記呼び出した端末が送信した検出結果を含む前記フィードバックを受信するようにさらに構成され、前記検出結果は、前記呼び出した端末が開始した前記呼び出し要求における前記番号が前記本端末の番号であるかどうかを検出した後に、前記サーバまたは前記呼び出した端末によって取得される、請求項２０に記載の装置。
【請求項２２】
呼び出した端末が話中状態である場合に、本端末が送信する番号問合要求を受信するように構成される受信モジュールと、
前記呼び出した端末が開始した呼び出し要求に応じてフィードバックを前記本端末に送信するように構成されるフィードバックモジュールであって、前記フィードバックは、前記呼び出した端末が前記本端末を呼び出していることを前記フィードバックが示している場合に、前記本端末にサーバに対して接続要求を送信させるか、前記サーバまたは前記呼び出した端末に対して中止要求を送信させるために用い、前記接続要求は、前記本端末を前記呼び出した端末と接続することを前記サーバに要求するために用い、前記中止要求は、前記呼び出した端末が開始した前記呼び出し要求を中止することを要求するために用いる、フィードバックモジュールとを備える、話中回線を処理する装置。
【請求項２３】
前記フィードバックモジュールは、
前記呼び出した端末が開始した前記呼び出し要求における番号を前記フィードバックに含めることによって前記本端末に送信するように構成される第１フィードバックユニット
または、
前記呼び出した端末が開始した前記呼び出し要求における前記番号が前記本端末の番号であるかどうかを検出し、検出結果を前記フィードバックに含めることによって前記本端末に送信するように構成される第２フィードバックユニットを備える、請求項２２に記載の装置。
【請求項２４】
前記呼び出した端末が前記本端末を呼び出していることを前記フィードバックが示している場合に、前記本端末が前記サーバに送信する接続要求を受信するように構成される接続要求受信モジュールと、
前記接続要求に応じて、前記本端末を前記呼び出した端末と接続するように構成される接続要求処理モジュールとをさらに備える、請求項２２または２３に記載の装置。
【請求項２５】
前記呼び出した端末が前記本端末を呼び出していることを前記フィードバックが示している場合に、前記本端末がサーバに送信する中止要求を受信するように構成される中止要求受信モジュールと、
前記中止要求に応じて、前記呼び出した端末が開始した前記呼び出し要求を中止するように構成される中止要求処理モジュールとをさらに備える、請求項２２または２３に記載の装置。
【請求項２６】
前記呼び出した端末が開始した前記呼び出し要求が中止された後に、前記呼び出した端末に対して中止処理報知メッセージを送信するように構成される送信モジュールをさらに備え、前記中止処理報知メッセージは、前記呼び出した端末が前記呼び出し要求の開始を継続しないことを示すために用いる、請求項２５に記載の装置。
【請求項２７】
前記フィードバックモジュールは、
前記呼び出した端末が開始した前記呼び出し要求における番号を前記フィードバックに含めることによって前記本端末に直接送信するか、前記サーバを介して前記本端末に送信するように構成される第３フィードバックユニット
または、
前記呼び出した端末が開始した前記呼び出し要求における前記番号が前記本端末の番号であるかどうかを検出し、検出結果を前記フィードバックに含めることによって前記本端末に送信するか、前記サーバを介して前記本端末に送信するように構成される第４フィードバックユニットを備える、請求項２２に記載の装置。
【請求項２８】
前記呼び出した端末が前記本端末を呼び出していることを前記フィードバックが示している場合に、前記本端末が前記呼び出した端末に送信する中止要求を受信するように構成される中止要求受信モジュールと、
前記中止要求受信モジュールが受信した前記中止要求に応じて、前記呼び出し要求を中止するように構成される中止要求処理モジュールとをさらに備える、請求項２７に記載の装置。
【請求項２９】
呼び出した端末が本端末を呼び出していることを前記本端末がサーバから受信したフィードバックが示している場合に、前記本端末が前記呼び出した端末に送信する中止要求を受信するように構成される受信モジュールであって、前記フィードバックは、前記呼び出した端末が話中状態である場合に前記本端末が前記サーバに送信する番号問合要求に対するフィードバックである、受信モジュールと、
前記受信モジュールが受信した前記中止要求に応じて、前記呼び出し要求を中止するように構成される中止モジュールとを備える、話中回線を処理する装置。
【請求項３０】
前記中止モジュールは、
前記中止要求が受信された場合に、前記呼び出し要求を自動的に中止するように構成される第１中止ユニット
または、
前記中止要求が受信された場合に、前記中止要求を表示するように構成される表示ユニットと、前記中止要求に対してフィードバック信号を受信するように構成される受信ユニットと、前記受信ユニットが受信した前記フィードバック信号に応じて前記呼び出し要求を中止するように構成される第２中止ユニットとを備える、請求項２９に記載の装置。
【請求項３１】
プロセッサと、
前記プロセッサの実行可能な命令を格納するように構成されるメモリとを備え、
前記プロセッサは、
第１端末が第２端末に対して第１呼び出し要求を開始し、前記第２端末が前記第１端末に対して第２呼び出し要求を開始しているかどうかを検出し、
前記第１端末が前記第２端末に対して前記第１呼び出し要求を開始し、前記第２端末が前記第１端末に対して前記第２呼び出し要求を開始していることが検出された場合、前記第１端末を前記第２端末と接続するか、前記第１端末が開始した前記第１呼び出し要求または前記第２端末が開始した前記第２呼び出し要求を中止するように構成される、話中回線を処理する装置。
【請求項３２】
プロセッサと、
前記プロセッサの実行可能な命令を格納するように構成されるメモリとを備え、
前記プロセッサは、
呼び出した端末が話中状態である場合に、番号問合要求を送信し、
前記番号問合要求に対して、前記呼び出した端末が開始した呼び出し要求に応じたフィードバックを受信し、
前記呼び出した端末が本端末を呼び出していることを前記フィードバックが示している場合に、前記本端末を前記呼び出した端末と接続することをサーバに対して要求するために用いる接続要求を前記サーバに送信するか、前記呼び出した端末が開始した前記呼び出し要求を中止することを要求するために用いる中止要求を前記サーバまたは前記呼び出した端末に送信するように構成される、話中回線を処理する装置。
【請求項３３】
プロセッサと、
前記プロセッサの実行可能な命令を格納するように構成されるメモリとを備え、
前記プロセッサは、
呼び出した端末が話中状態である場合に本端末が送信する番号問合要求を受信し、
前記呼び出した端末が開始した呼び出し要求に応じてフィードバックを前記本端末に送信し、前記フィードバックは、前記呼び出した端末が前記本端末を呼び出していることを前記フィードバックが示している場合に、前記本端末にサーバに対して接続要求を送信させるか、前記サーバまたは前記呼び出した端末に対して中止要求を送信させるために用い、前記接続要求は、前記本端末を前記呼び出した端末と接続することを前記サーバに要求するために用い、前記中止要求は、前記呼び出した端末が開始した前記呼び出し要求を中止することを要求するために用いるように構成される、話中回線を処理する装置。
【請求項３４】
プロセッサと、
前記プロセッサの実行可能な命令を格納するように構成されるメモリとを備え、
前記プロセッサは、
呼び出した端末が本端末を呼び出していることを前記本端末がサーバから受信したフィードバックが示している場合に、前記本端末が前記呼び出した端末に送信する中止要求を受信し、前記フィードバックは、前記呼び出した端末が話中状態である場合に前記本端末が前記サーバに送信する番号問合要求に対するフィードバックであり、
前記中止要求に応じて前記呼び出し要求を中止するように構成される、話中回線を処理する装置。
【請求項３５】
サーバと、第１端末と、第２端末とを備え、前記サーバは、前記第１端末および前記第２端末にそれぞれ接続され、
前記サーバは、請求項１６〜１９のいずれか１つに記載の話中回線を処理する装置を備えるか、
請求項３１に記載の話中回線を処理する装置を備える、通信システム。
【請求項３６】
サーバと、第１端末と、第２端末とを備え、前記サーバは、前記第１端末および前記第２端末にそれぞれ接続され、
前記第１端末は、請求項２０または２１に記載の話中回線を処理する装置を備え、
前記サーバは、請求項２２〜２６のいずれか１つに記載の話中回線を処理する装置を備え、
前記第２端末は、請求項２９または３０に記載の話中回線を処理する装置を備える
または、
前記第１端末は、請求項２０または２１に記載の話中回線を処理する装置を備え、
前記第２端末は、請求項２２、２７または２８に記載の話中回線を処理する装置を備える
または、
前記第１端末は、請求項３２に記載の話中回線を処理する装置を備え、
前記サーバは、請求項３３に記載の話中回線を処理する装置を備え、
前記第２端末は、請求項３４に記載の話中回線を処理する装置を備える、通信システム。
【発明の詳細な説明】
【技術分野】
【０００１】
［関連出願の相互参照］
本出願は、２０１４年４月３日に出願された中国特許出願第２０１４１０１３３８８７．１号に基づく優先権を主張し、当該出願に記載された全ての記載内容を援用する。
【０００２】
本開示は、概して通信分野に関し、特に、話中回線を処理する方法、装置、およびシステムに関する。
【背景技術】
【０００３】
音声通信は、スマートフォン、パネルコンピュータ、携帯情報端末（ＰＤＡ）などの端末の基本機能である。
【０００４】
音声通信の機能を使用する過程において、２つの端末が互いに対する呼び出し要求を同時に開始したため、通信回線が話中となり、音声通信が正常に行われないことがよくある。例えば、端末Ａが端末Ｂに対して呼び出し要求を開始し、端末Ｂが端末Ａに対して呼び出し要求を開始した場合、端末Ａと端末Ｂ間の通信回線が話中となることがある。
【０００５】
音声通信を実行する過程において、以下のような問題があることを発明者らは見出した。２つの端末が互いに対する呼び出し要求を同時に開始した場合、通信回線は話中となる。２つの端末が互いに対する呼び出し要求を繰り返し何度も同時に開始すると、通信回線は話中のままとなり、２つの端末が正常に音声通信を実行することができない。あるいは、通信回線が話中である場合、２つの端末のそれぞれが、相手端末が開始した呼び出し要求を待つことになるため、２つの端末のユーザにとって時間の無駄になる。
【発明の概要】
【発明が解決しようとする課題】
【０００６】
２つの端末が互いに対する呼び出し要求を同時に開始することによって回線が話中となる問題を解決すべく、本開示の実施形態は、話中回線を処理する方法、装置、およびシステムを提供する。その技術的解決手法は以下のとおりである。
【課題を解決するための手段】
【０００７】
本開示の実施形態の第１の側面によると、
第１端末が第２端末に対して第１呼び出し要求を開始し、前記第２端末が前記第１端末に対して第２呼び出し要求を開始しているかどうかを検出するステップと、
前記第１端末が前記第２端末に対して前記第１呼び出し要求を開始し、前記第２端末が前記第１端末に対して前記第２呼び出し要求を開始していることが検出された場合、前記第１端末を前記第２端末と接続するか、前記第１端末が開始した前記第１呼び出し要求または前記第２端末が開始した前記第２呼び出し要求を中止するステップとを含む、話中回線を処理する方法が提供される。
【０００８】
あるいは、前記第１端末が前記第２端末に対して前記第１呼び出し要求を開始し、前記第２端末が前記第１端末に対して前記第２呼び出し要求を開始しているかどうかを検出するステップは、
前記第１端末が開始した前記第１呼び出し要求における番号が前記第２端末の番号であるかどうかと、前記第２端末が開始した前記第２呼び出し要求における番号が前記第１端末の番号であるかどうかを検出するステップを含む。
【０００９】
あるいは、前記第１端末が開始した前記第１呼び出し要求または前記第２端末が開始した前記第２呼び出し要求を中止するステップは、
前記第１呼び出し要求の開始時刻および前記第２呼び出し要求の開始時刻に応じて、前記第１呼び出し要求および前記第２呼び出し要求のうち開始時刻が遅い方を決定するステップと、
前記開始時刻が遅い方の呼び出し要求を中止するステップとを含む。
【００１０】
前記方法は、前記第１端末が開始した前記第１呼び出し要求が中止された後に、前記第１端末が前記第１呼び出し要求の開始を継続しないことを示すために用いる中止処理報知メッセージを前記第１端末に送信するステップ、または、
前記第２端末が開始した前記第２呼び出し要求が中止された後に、前記第２端末が前記第２呼び出し要求の開始を継続しないことを示すために用いる中止処理報知メッセージを前記第２端末に送信するステップをさらに含む。
【００１１】
本開示の実施形態の第２の側面によると、
呼び出した端末が話中状態である場合に、番号問合要求を送信するステップと、
前記番号問合要求に対して、前記呼び出した端末が開始した呼び出し要求に応じたフィードバックを受信するステップと、
前記呼び出した端末が本端末を呼び出していることを前記フィードバックが示している場合に、前記本端末を前記呼び出した端末と接続することをサーバに対して要求するために用いる接続要求を前記サーバに送信するか、前記呼び出した端末が開始した前記呼び出し要求を中止することを要求するために用いる中止要求を前記サーバまたは前記呼び出した端末に送信するステップとを含む、話中回線を処理する方法が提供される。
【００１２】
あるいは、前記番号問合要求に対して前記フィードバックを受信するステップは、
前記番号問合要求が前記サーバに送信された場合、前記サーバが送信した前記フィードバックを受信するステップであって、前記フィードバックには、前記呼び出した端末が開始した前記呼び出し要求における番号が含まれる、ステップ
または、
前記番号問合要求が前記サーバに送信された場合、前記サーバが送信した検出結果を含む前記フィードバックを受信するステップであって、前記検出結果は、前記呼び出した端末が開始した前記呼び出し要求における前記番号が前記本端末の番号であるかどうかを検出した後に前記サーバによって取得される、ステップ
または、
前記番号問合要求が前記サーバを介して前記呼び出した端末に送信された場合、前記サーバが送信した検出結果を含む前記フィードバックを受信するステップであって、前記検出結果は、前記呼び出した端末が開始した前記呼び出し要求における前記番号が前記本端末の番号であるかどうかを検出した後に前記呼び出した端末によって取得される、ステップ
または、
前記番号問合要求が前記呼び出した端末に直接送信された場合、前記呼び出した端末が送信した前記フィードバックを受信するステップであって、前記フィードバックには、前記呼び出した端末が開始した前記呼び出し要求における前記番号が含まれる、ステップ
または、
前記番号問合要求が前記呼び出した端末に直接送信された場合、前記呼び出した端末が送信した検出結果を含む前記フィードバックを受信するステップであって、前記検出結果は、前記呼び出した端末が開始した前記呼び出し要求における前記番号が前記本端末の番号であるかどうかを検出した後に前記サーバまたは前記呼び出した端末によって取得される、ステップを含む。
【００１３】
本開示の実施形態の第３の側面によると、
呼び出した端末が話中状態である場合に、本端末が送信する番号問合要求を受信するステップと、
前記呼び出した端末が開始した呼び出し要求に応じてフィードバックを前記本端末に送信するステップであって、前記フィードバックは、前記呼び出した端末が前記本端末を呼び出していることを前記フィードバックが示している場合に、前記本端末にサーバに対して接続要求を送信させるか、前記サーバまたは前記呼び出した端末に対して中止要求を送信させるために用い、前記接続要求は、前記本端末を前記呼び出した端末と接続することを前記サーバに要求するために用い、前記中止要求は、前記呼び出した端末が開始した前記呼び出し要求を中止することを要求するために用いる、ステップとを含む、話中回線を処理する方法が提供される。
【００１４】
あるいは、前記呼び出した端末が開始した呼び出し要求に応じてフィードバックを前記本端末に送信するステップは、
前記呼び出した端末が開始した前記呼び出し要求における番号を、前記フィードバックに含めることによって前記本端末に送信するステップ
または、
前記呼び出した端末が開始した前記呼び出し要求における前記番号が前記本端末の番号であるかどうかを検出し、検出結果を前記フィードバックに含めることによって前記本端末に送信するステップを含む。
【００１５】
前記方法は、
前記呼び出した端末が前記本端末を呼び出していることを前記フィードバックが示している場合に、前記本端末が前記サーバに送信する接続要求を受信するステップと、
前記接続要求に応じて前記本端末を前記呼び出した端末と接続するステップとをさらに含む。
【００１６】
あるいは、前記方法は、
前記呼び出した端末が前記本端末を呼び出していることを前記フィードバックが示している場合に、前記本端末が前記サーバに送信する中止要求を受信するステップと、
前記中止要求に応じて、前記呼び出した端末が開始した前記呼び出し要求を中止するステップとを含む。
【００１７】
あるいは、前記方法は、前記呼び出した端末が開始した前記呼び出し要求が中止された後に、前記呼び出した端末に対して中止処理報知メッセージを送信するステップをさらに含み、前記中止処理報知メッセージは、前記呼び出した端末が前記呼び出し要求の開始を継続しないことを示すために用いる。
【００１８】
あるいは、前記呼び出した端末が開始した呼び出し要求に応じてフィードバックを前記本端末に送信するステップは、
前記呼び出した端末が開始した前記呼び出し要求における番号を前記フィードバックに含めることによって前記本端末に直接送信するか、前記サーバを介して前記本端末に送信するステップ
または、
前記呼び出した端末が開始した前記呼び出し要求における前記番号が前記本端末の番号であるかどうかを検出し、検出結果を前記フィードバックに含めることによって前記本端末に送信するか、前記サーバを介して前記本端末に送信するステップを含む。
【００１９】
前記方法は、前記呼び出した端末が前記本端末を呼び出していることを前記フィードバックが示している場合に、前記本端末が前記呼び出した端末に送信する中止要求を受信するステップと、
前記中止要求に応じて、前記呼び出し要求を中止するステップとをさらに含む。
【００２０】
本開示の実施形態の第４の側面によると、
呼び出した端末が本端末を呼び出していることを前記本端末がサーバから受信したフィードバックが示している場合に、前記本端末が前記呼び出した端末に送信する中止要求を受信するステップであって、前記フィードバックは、前記呼び出した端末が話中状態である場合に前記本端末が前記サーバに送信する番号問合要求に対するフィードバックである、ステップと、
前記中止要求に応じて前記呼び出し要求を中止するステップとを含む、話中回線を処理する方法が提供される。
【００２１】
あるいは、前記中止要求に応じて前記呼び出し要求を中止するステップは、
前記中止要求が受信された場合に、前記呼び出し要求を自動的に中止するステップ
または、
前記中止要求が受信された場合に、前記中止要求を表示するステップと、前記中止要求に対してフィードバック信号を受信するステップと、前記フィードバック信号に応じて前記呼び出し要求を中止するステップとを含む。
【００２２】
本開示の実施形態の第５の側面によると、
第１端末が第２端末に対して第１呼び出し要求を開始し、前記第２端末が前記第１端末に対して第２呼び出し要求を開始しているかどうかを検出するように構成される検出モジュールと、
前記第１端末が前記第２端末に対して前記第１呼び出し要求を開始し、前記第２端末が前記第１端末に対して前記第２呼び出し要求を開始していることが検出された場合、前記第１端末を前記第２端末と接続するか、前記第１端末が開始した前記第１呼び出し要求または前記第２端末が開始した前記第２呼び出し要求を中止するように構成される処理モジュールとを備える、話中回線を処理する装置が提供される。
【００２３】
あるいは、前記検出モジュールは、前記第１端末が開始した前記第１呼び出し要求における番号が前記第２端末の番号であるかどうかと、前記第２端末が開始した前記第２呼び出し要求における番号が前記第１端末の番号であるかどうかとを検出するようにさらに構成される。
【００２４】
あるいは、前記処理モジュールは、
前記第１呼び出し要求の開始時刻および前記第２呼び出し要求の開始時刻に応じて、前記第１呼び出し要求および前記第２呼び出し要求のうち開始時刻が遅い方を決定するように構成される決定ユニットと、
前記開始時刻が遅い方の呼び出し要求を中止するように構成される中止ユニットとを備える。
【００２５】
あるいは、前記装置は、
前記第１端末が開始した前記第１呼び出し要求が前記処理モジュールによって中止された後に、前記第１端末が前記第１呼び出し要求の開始を継続しないことを示すために用いる中止処理報知メッセージを前記第１端末に送信するように構成される送信モジュールをさらに備え、あるいは、
前記送信モジュールは、前記第２端末が開始した前記第２呼び出し要求が前記処理モジュールによって中止された後に、前記第２端末が前記第２呼び出し要求の開始を継続しないことを示すために用いる中止処理報知メッセージを前記第２端末に送信するようにさらに構成される。
【００２６】
本開示の実施形態の第６の側面によると、
呼び出した端末が話中状態である場合に、番号問合要求を送信するように構成される送信モジュールと、
前記番号問合要求に対して、前記呼び出した端末が開始した呼び出し要求に応じたフィードバックを受信するように構成される受信モジュールと、
前記呼び出した端末が本端末を呼び出していることを前記フィードバックが示している場合、前記本端末を前記呼び出した端末と接続することをサーバに対して要求するために用いる接続要求を前記サーバに送信するように構成される接続要求モジュール、または、前記呼び出した端末が開始した前記呼び出し要求を中止することを要求するために用いる中止要求を前記サーバもしくは前記呼び出した端末に送信するように構成される中止要求モジュールとを備える、話中回線を処理する装置が提供される。
【００２７】
あるいは、前記受信モジュールは、前記番号問合要求が前記サーバに送信された場合、前記サーバが送信した前記フィードバックを受信するようにさらに構成され、前記フィードバックには、前記呼び出した端末が開始した前記呼び出し要求における番号が含まれる
または、
前記受信モジュールは、前記番号問合要求が前記サーバに送信された場合、前記サーバが送信した検出結果を含む前記フィードバックを受信するようにさらに構成され、前記検出結果は、前記呼び出した端末が開始した前記呼び出し要求における前記番号が前記本端末の番号であるかどうかを検出した後に前記サーバによって取得される
または、
前記受信モジュールは、前記番号問合要求が前記サーバを介して前記呼び出した端末に送信された場合、前記サーバが送信した検出結果を含む前記フィードバックを受信するようにさらに構成され、前記検出結果は、前記呼び出した端末が開始した前記呼び出し要求における前記番号が前本記端末の番号であるかどうかを検出した後に前記呼び出した端末によって取得される
または、
前記受信モジュールは、前記番号問合要求が前記呼び出した端末に直接送信された場合、前記呼び出した端末が送信した前記フィードバックを受信するようにさらに構成され、前記フィードバックには、前記呼び出した端末が開始した前記呼び出し要求における前記番号が含まれる
または、
前記受信モジュールは、前記番号問合要求が前記呼び出した端末に直接送信された場合、前記呼び出した端末が送信した検出結果を含む前記フィードバックを受信するようにさらに構成され、前記検出結果は、前記呼び出した端末が開始した前記呼び出し要求における前記番号が前記本端末の番号であるかどうかを検出した後に、前記サーバまたは前記呼び出した端末によって取得される。
【００２８】
本開示の実施形態の第７の側面によると、
呼び出した端末が話中状態である場合に、本端末が送信する番号問合要求を受信するように構成される受信モジュールと、
前記呼び出した端末が開始した呼び出し要求に応じてフィードバックを前記本端末に送信するように構成されるフィードバックモジュールであって、前記フィードバックは、前記呼び出した端末が前記本端末を呼び出していることを前記フィードバックが示している場合に、前記本端末にサーバに対して接続要求を送信させるか、前記サーバまたは前記呼び出した端末に対して中止要求を送信させるために用い、前記接続要求は、前記本端末を前記呼び出した端末と接続することを前記サーバに要求するために用い、前記中止要求は、前記呼び出した端末が開始した前記呼び出し要求を中止することを要求するために用いる、フィードバックモジュールとを備える、話中回線を処理する装置が提供される。
【００２９】
あるいは、前記フィードバックモジュールは、
前記呼び出した端末が開始した前記呼び出し要求における番号を前記フィードバックに含めることによって前記本端末に送信するように構成される第１フィードバックユニット
または、
前記呼び出した端末が開始した前記呼び出し要求における前記番号が前記本端末の番号であるかどうかを検出し、検出結果を前記フィードバックに含めることによって前記本端末に送信するように構成される第２フィードバックユニットを備える。
【００３０】
あるいは、前記装置は、
前記呼び出した端末が前記本端末を呼び出していることを前記フィードバックが示している場合に、前記本端末が前記サーバに送信する接続要求を受信するように構成される接続要求受信モジュールと、
前記接続要求に応じて、前記本端末を前記呼び出した端末と接続するように構成される接続要求処理モジュールとをさらに備える。
【００３１】
あるいは、前記装置は、
前記呼び出した端末が前記本端末を呼び出していることを前記フィードバックが示している場合に、前記本端末がサーバに送信する中止要求を受信するように構成される中止要求受信モジュールと、
前記中止要求に応じて、前記呼び出した端末が開始した前記呼び出し要求を中止するように構成される中止要求処理モジュールとをさらに備える。
【００３２】
あるいは、前記装置は、
前記呼び出した端末が開始した前記呼び出し要求が中止された後に、前記呼び出した端末に対して中止処理報知メッセージを送信するように構成される送信モジュールをさらに備え、前記中止処理報知メッセージは、前記呼び出した端末が前記呼び出し要求の開始を継続しないことを示すために用いる。
【００３３】
あるいは、前記フィードバックモジュールは、
前記呼び出した端末が開始した前記呼び出し要求における番号を前記フィードバックに含めることによって前記本端末に直接送信するか、前記サーバを介して前記本端末に送信するように構成される第３フィードバックユニット
または、
前記呼び出した端末が開始した前記呼び出し要求における前記番号が前記本端末の番号であるかどうかを検出し、検出結果を前記フィードバックに含めることによって前記本端末に送信するか、前記サーバを介して前記本端末に送信するように構成される第４フィードバックユニットを備える。
【００３４】
さらに、中止要求受信モジュールは、前記呼び出した端末が前記本端末を呼び出していることを前記フィードバックが示している場合に、前記本端末が前記呼び出した端末に送信する中止要求を受信するように構成され、
中止要求処理モジュールは、前記中止要求受信モジュールが受信した前記中止要求に応じて、前記呼び出し要求を中止するように構成される。
【００３５】
本開示の実施形態の第８の側面によると、
呼び出した端末が本端末を呼び出していることを前記本端末がサーバから受信したフィードバックが示している場合に、前記本端末が前記呼び出した端末に送信する中止要求を受信するように構成される受信モジュールであって、前記フィードバックは、前記呼び出した端末が話中状態である場合に前記本端末が前記サーバに送信する番号問合要求に対するフィードバックである、受信モジュールと、
前記受信モジュールが受信した前記中止要求に応じて、前記呼び出し要求を中止するように構成される中止モジュールとを備える、話中回線を処理する装置が提供される。
【００３６】
あるいは、前記中止モジュールは、
前記中止要求が受信された場合に、前記呼び出し要求を自動的に中止するように構成される第１中止ユニット
または、
前記中止要求が受信された場合に、前記中止要求を表示するように構成される表示ユニットと、前記中止要求に対してフィードバック信号を受信するように構成される受信ユニットと、前記受信ユニットが受信した前記フィードバック信号に応じて前記呼び出し要求を中止するように構成される第２中止ユニットとを備える。
【００３７】
本開示の実施形態の第９の側面によると、
プロセッサと、
前記プロセッサの実行可能な命令を格納するように構成されるメモリとを備え、
前記プロセッサは、
第１端末が第２端末に対して第１呼び出し要求を開始し、前記第２端末が前記第１端末に対して第２呼び出し要求を開始しているかどうかを検出し、
前記第１端末が前記第２端末に対して前記第１呼び出し要求を開始し、前記第２端末が前記第１端末に対して前記第２呼び出し要求を開始していることが検出された場合、前記第１端末を前記第２端末と接続するか、前記第１端末が開始した前記第１呼び出し要求または前記第２端末が開始した前記第２呼び出し要求を中止するように構成される、話中回線を処理する装置が提供される。
【００３８】
本開示の実施形態の第１０の側面によると、
プロセッサと、
前記プロセッサの実行可能な命令を格納するように構成されるメモリとを備え、
前記プロセッサは、
呼び出した端末が話中状態である場合に、番号問合要求を送信し、
前記番号問合要求に対して、前記呼び出した端末が開始した呼び出し要求に応じたフィードバックを受信し、
前記呼び出した端末が本端末を呼び出していることを前記フィードバックが示している場合に、前記本端末を前記呼び出した端末と接続することをサーバに対して要求するために用いる接続要求を前記サーバに送信するか、前記呼び出した端末が開始した前記呼び出し要求を中止することを要求するために用いる中止要求を前記サーバまたは前記呼び出した端末に送信するように構成される、話中回線を処理する装置が提供される。
【００３９】
本開示の実施形態の第１１の側面によると、
プロセッサと、
前記プロセッサの実行可能な命令を格納するように構成されるメモリとを備え、
前記プロセッサは、
呼び出した端末が話中状態である場合に本端末が送信する番号問合要求を受信し、
前記呼び出した端末が開始した呼び出し要求に応じてフィードバックを前記本端末に送信し、前記フィードバックは、前記呼び出した端末が前記本端末を呼び出していることを前記フィードバックが示している場合に、前記本端末にサーバに対して接続要求を送信させるか、前記サーバまたは前記呼び出した端末に対して中止要求を送信させるために用い、前記接続要求は、前記本端末を前記呼び出した端末と接続することを前記サーバに要求するために用い、前記中止要求は、前記呼び出した端末が開始した前記呼び出し要求を中止することを要求するために用いるように構成される、話中回線を処理する装置が提供される。
【００４０】
本開示の実施形態の第１２の側面によると、
プロセッサと、
前記プロセッサの実行可能な命令を格納するように構成されるメモリとを備え、
前記プロセッサは、
呼び出した端末が本端末を呼び出していることを前記本端末がサーバから受信したフィードバックが示している場合に、前記本端末が前記呼び出した端末に送信する中止要求を受信し、前記フィードバックは、前記呼び出した端末が話中状態である場合に前記本端末が前記サーバに送信する番号問合要求に対するフィードバックであり、
前記中止要求に応じて前記呼び出し要求を中止するように構成される、話中回線を処理する装置が提供される。
【００４１】
本開示の実施形態の第１３の側面によると、サーバと、第１端末と、第２端末とを備え、前記サーバは、前記第１端末および前記第２端末にそれぞれ接続され、前記サーバは、前記第５の側面に係る話中回線を処理する装置を備えるか、前記サーバは、前記第９の側面に係る話中回線を処理する装置を備える、通信システムが提供される。
【００４２】
本開示の実施形態の第１４の側面によると、
サーバと、第１端末と、第２端末とを備え、前記サーバは、前記第１端末および前記第２端末にそれぞれ接続され、
前記第１端末は、前記第６の側面に係る話中回線を処理する装置を備え、
前記サーバは、前記第７の側面に係る話中回線を処理する装置を備え、
前記第２端末は、前記第８の側面に係る話中回線を処理する装置を備える
または、
前記第１端末は、前記第６の側面に係る話中回線を処理する装置を備え、
前記第２端末は、前記第７の側面に係る話中回線を処理する装置を備える
または、
前記第１端末は、前記第１０の側面に係る話中回線を処理する装置を備え、
前記サーバは、前記第１１の側面に係る話中回線を処理する装置を備え、
前記第２端末は、前記第１２の側面に係る話中回線を処理する装置を備える、通信システムが提供される。
【発明の効果】
【００４３】
本開示の実施形態に開示する技術的解決手法は、以下の有利な効果を奏する。
【００４４】
第１端末が第２端末に対して第１呼び出し要求を開始し、第２端末が第１端末に対して第２呼び出し要求を開始しているかどうかを検出し、第１端末が第２端末に対して第１呼び出し要求を開始し、第２端末が第１端末に対して第２呼び出し要求を開始していることが検出された場合、第１端末を第２端末と接続するか、第１端末が開始した第１呼び出し要求または第２端末が開始した第２呼び出し要求を中止することによって、２つの端末が互いへの呼び出し要求を開始することによって回線が話中になるという問題を解決することができ、２つの端末が互いへの呼び出し要求を開始した場合に、サーバによって２つの端末を接続するか、サーバによって２つの端末のうち一方が開始した呼び出し要求を中止することによって、２つの端末が互いを呼び出す際の時間の無駄を避けることができるため、時間の節約と効率向上になる。
【００４５】
上記の一般的な説明および下記の詳細な説明は、いずれも説明を目的とした例示的なものに過ぎず、特許請求の範囲に記載した本開示を限定するものではないことを理解されたい。
【図面の簡単な説明】
【００４６】
本明細書に参照され、また、本明細書の一部を構成する添付の図面は、本開示と整合する実施形態を示し、以下の記述と共に本開示の要旨を説明するものである。
【図１】図１は、本開示の例示的な実施形態に係る話中回線を処理する方法の動作環境を示す概略図である。
【図２】図２は、本開示の例示的な実施形態に係る話中回線を処理する方法のフローチャートである。
【図３】図３は、本開示の例示的な実施形態に係る別の話中回線を処理する方法のフローチャートである。
【図４】図４は、本開示の例示的な実施形態に係る別の話中回線を処理する方法の代替方法のフローチャートである。
【図５】図５は、本開示の例示的な実施形態に係る別の話中回線を処理する方法の別の代替方法のフローチャートである。
【図６】図６は、本開示の別の例示的な実施形態に係る話中回線を処理する方法の工程を示す概略図である。
【図７】図７は、本開示の別の例示的な実施形態に係る話中回線を処理する方法の代替方法の工程を示す概略図である。
【図８】図８は、本開示の別の例示的な実施形態に係る話中回線を処理する方法の別の代替方法の工程を示す概略図である。
【図９】図９は、本開示の別の例示的な実施形態に係る別の話中回線を処理する方法の工程を示す概略図である。
【図１０】図１０は、本開示の別の例示的な実施形態に係る端末の概略図である。
【図１１】図１１は、本開示の別の例示的な実施形態に係るさらに別の話中回線を処理する方法の工程を示す概略図である。
【図１２】図１２は、本開示の別の例示的な実施形態に係る別の呼び出した端末の概略図である。
【図１３】図１３は、本開示の別の例示的な実施形態に係るさらに別の話中回線を処理する方法の代替方法の工程を示す概略図である。
【図１４】図１４は、本開示の別の例示的な実施形態に係るさらに別の呼び出した端末の概略図である。
【図１５】図１５は、本開示の別の例示的な実施形態に係るなお別の話中回線を処理する方法の工程を示す概略図である。
【図１６】図１６は、本開示の別の例示的な実施形態に係る別の端末の概略図である。
【図１７】図１７は、本開示の別の例示的な実施形態に係る別の呼び出した端末の概略図である。
【図１８】図１８は、本開示の例示的な実施形態に係る話中回線を処理する装置のブロック図である。
【図１９】図１９は、本開示の例示的な実施形態に係る別の話中回線を処理する装置のブロック図である。
【図２０】図２０は、本開示の別の例示的な実施形態に係る話中回線を処理する装置のブロック図である。
【図２１】図２１は、本開示の別の例示的な実施形態に係る別の話中回線を処理する装置のブロック図である。
【図２２】図２２は、本開示の別の例示的な実施形態に係るさらに別の話中回線を処理する装置のブロック図である。
【図２３】図２３は、本開示のさらに別の例示的な実施形態に係る話中回線を処理する装置のブロック図である。
【図２４】図２４は、本開示のさらに別の例示的な実施形態に係る別の話中回線を処理する装置のブロック図である。
【図２５】図２５は、本開示のなお別の例示的な実施形態に係る話中回線を処理する装置のブロック図である。
【図２６】図２６は、本開示のなお別の例示的な実施形態に係る別の話中回線を処理する装置のブロック図である。
【図２７】図２７は、本開示の例示的な実施形態に係るサーバの概略図である。
【図２８】図２８は、本開示の例示的な実施形態に係る端末の概略図である。
【発明を実施するための形態】
【００４７】
以下に、例示的な実施形態を詳細に説明する。以下の説明において参照する添付の図面は、実施形態の例を示す。以下の説明で言及する図面中で、複数の図面において用いられている同一の符号は、特に記載しない限り、同一あるいは類似の要素を示す。以下の例示的な実施形態の説明に示す具体化態様は、本開示の全ての具体化態様を示すものではなく、請求項に記載した本開示の側面にしたがった装置および方法の例示に過ぎない。
【００４８】
図１は、本開示の例示的な実施形態に係る話中回線を処理する方法の動作環境を示す概略図である。該動作環境には、サーバ１１、第１端末１２、および第２端末１３がある。サーバ１１は、第１端末１２および第２端末１３にそれぞれ接続されている。
【００４９】
サーバ１１は、スイッチ、複数のサーバからなるサーバクラスタ、またはクラウドコンピューティングサービスセンターであってもよい。サーバ１１は、クライアントに通信サービスを提供するように構成される。
【００５０】
第１端末１２および第２端末１３は、移動通信機器であってもよい。第１端末１２および第２端末１３は、携帯電話、ＰＤＡ、電子書籍リーダー、ＭＰ３（Ｍｏｖｉｎｇ  Ｐｉｃｔｕｒｅ  Ｅｘｐｅｒｔｓ  Ｇｒｏｕｐ  Ａｕｄｉｏ  Ｌａｙｅｒ  ＩＩＩ）プレーヤー、ＭＰ４（Ｍｏｖｉｎｇ  Ｐｉｃｔｕｒｅ  Ｅｘｐｅｒｔｓ  Ｇｒｏｕｐ  Ａｕｄｉｏ  Ｌａｙｅｒ  ＩＶ）プレーヤー、ラップトップポータブルコンピュータ、デスクトップコンピュータなどであってもよい。
【００５１】
サーバ１１は、無線または有線ネットワークを介して第１端末１２および第２端末１３とそれぞれ接続されていてもよい。
【００５２】
図２は、本開示の例示的な実施形態に係る話中回線を処理する方法のフローチャートである。本実施形態では、図１に示すサーバにおいて適用した話中回線を処理する方法を例にとる。話中回線を処理する方法は、以下のステップを含んでいてもよい。
【００５３】
ステップ２０１において、第１端末が第２端末に対して第１呼び出し要求を開始し、第２端末が第１端末に対して第２呼び出し要求を開始しているかどうかを検出する。
【００５４】
ステップ２０２において、第１端末が第２端末に対して第１呼び出し要求を開始し、第２端末が第１端末に対して第２呼び出し要求を開始していることが検出された場合、第１端末を第２端末と接続するか、第１端末が開始した第１呼び出し要求または第２端末が開始した第２呼び出し要求を中止してもよい。
【００５５】
上述のとおり、本開示の実施形態に係る話中回線を処理する方法では、第１端末が第２端末に対して第１呼び出し要求を開始し、第２端末が第１端末に対して第２呼び出し要求を開始しているかどうかを検出し、第１端末が第２端末に対して第１呼び出し要求を開始し、第２端末が第１端末に対して第２呼び出し要求を開始していることが検出された場合、第１端末を第２端末と接続するか、第１端末が開始した第１呼び出し要求または第２端末が開始した第２呼び出し要求を中止することによって、２つの端末が互いへの呼び出し要求を開始することによって回線が話中になるという問題を解決することができ、２つの端末が互いへの呼び出し要求を開始した場合に、サーバによって２つの端末を接続するか、サーバによって２つの端末のうち一方が開始した呼び出し要求を中止することによって、２つの端末が互いを呼び出す際の時間の無駄を避けることができるため、時間の節約と効率向上になる。
【００５６】
図３は、本開示の例示的な実施形態に係る別の話中回線を処理する方法のフローチャートである。本実施形態では、図１に示すサーバにおいて適用した話中回線を処理する方法を例にとる。話中回線を処理する方法には、以下のステップが含まれていてもよい。
【００５７】
ステップ３０１において、第１端末が第２端末に対して第１呼び出し要求を開始し、第２端末が第１端末に対して第２呼び出し要求を開始しているかどうかを検出する。
【００５８】
サーバは、第１端末が開始した第１呼び出し要求における番号が第２端末の番号であるかどうかと、第２端末が開始した第２呼び出し要求における番号が第１端末の番号であるかどうかとを検出する。
【００５９】
ステップ３０２において、第１端末が第２端末に対して第１呼び出し要求を開始し、第２端末が第１端末に対して第２呼び出し要求を開始していることが検出された場合、第１端末を第２端末と接続する。
【００６０】
ステップ２０１に基づいて、第１端末が呼び出した番号が第２端末の番号であり、第２端末が呼び出した番号が第１端末の番号である場合、サーバは端末Ａを端末Ｂと接続する。
【００６１】
別の実現可能な具体化態様として、図４を参照して、ステップ３０２を以下のステップと置き換えてもよい。
【００６２】
ステップ３０２ａにおいて、第１端末が第２端末に対して第１呼び出し要求を開始し、第２端末が第１端末に対して第２呼び出し要求を開始していることが検出された場合、第１端末が開始した第１呼び出し要求または第２端末が開始した第２呼び出し要求を中止する。
【００６３】
すなわち、第１端末が開始した第１呼び出し要求または第２端末が開始した第２呼び出し要求が、サーバによって中止される。本ステップは、以下のサブステップを含んでいてもよい。
【００６４】
サーバは、第１呼び出し要求の開始時刻および第２呼び出し要求の開始時刻に応じて、第１呼び出し要求および第２呼び出し要求のうち開始時刻が遅い方を決定する。
【００６５】
例えば、端末Ａが開始した呼び出し要求の開始時刻が、端末Ｂが開始した呼び出し要求の開始時刻よりも早い場合、すなわち、端末Ａが午前１０時１０分１０秒に端末Ｂに対して呼び出し要求を開始し、端末Ｂが午前１０時１０分１１秒に端末Ａに対して呼び出し要求を開始したとすると、サーバは、端末Ａが開始した呼び出し要求の開始時刻および端末Ｂが開始した呼び出し要求の開始時刻に応じて、端末Ｂが開始した呼び出し要求の開始時刻が、端末Ａが開始した呼び出し要求の開始時刻よりも遅いと判断した上で、端末Ｂが開始した呼び出し要求を中止する。あるいは、逆に、サーバは端末Ａが開始した呼び出し要求を中止する。
【００６６】
さらに、ステップ３０３において、第１端末が開始した第１呼び出し要求が中止された場合、サーバは、中止処理報知メッセージを第１端末に送信する。中止処理報知メッセージは、第１端末が第１呼び出し要求の開始を継続しない旨を示すために用いる。
【００６７】
端末Ｂに対して端末Ａが開始した呼び出し要求の開始時刻が端末Ａに対して端末Ｂが開始した呼び出し要求の開始時刻よりも遅いと仮定した場合、ステップ３０２ａに基づいて、サーバは、端末Ｂに対して端末Ａが開始した呼び出し要求を中止し、端末Ａが端末Ｂに対する呼び出し要求の開始を継続しないことを示す中止処理報知メッセージを端末Ａに送信する。
【００６８】
このようにして、第１端末が開始した第１呼び出し要求が中止された後に、通常の手順で通信が実施されるように第２端末を第１端末と接続してもよい。
【００６９】
別の実現可能な具体化態様として、図５を参照して、ステップ３０３を以下のステップと置き換えてもよい。
【００７０】
ステップ３０３ａにおいて、第２端末が開始した第２呼び出し要求が中止された後、サーバは、中止処理報知メッセージを第２端末に送信する。中止処理報知メッセージは、第２端末が第２呼び出し要求の開始を継続しない旨を示すために用いる。
【００７１】
このようにして、第２端末が開始した第２呼び出し要求が中止された後に、通常の手順で通信が実施されるように第２端末を第１端末と接続してもよい。
【００７２】
上述のとおり、本開示の実施形態に係る話中回線を処理する方法では、第１端末が第２端末に対して第１呼び出し要求を開始し、第２端末が第１端末に対して第２呼び出し要求を開始しているかどうかをサーバが検出し、第１端末が第２端末に対して第１呼び出し要求を開始し、第２端末が第１端末に対して第２呼び出し要求を開始していることが検出された場合、サーバが、第１端末を第２端末と接続するか、第１端末が開始した第１呼び出し要求または第２端末が開始した第２呼び出し要求を中止する。これにより、２つの端末が互いへの呼び出し要求を開始することによって回線が話中になるという問題を解決することができ、２つの端末が互いへの呼び出し要求を開始した場合に、サーバによって２つの端末を接続するか、サーバによって２つの端末のうち一方が開始した呼び出し要求を中止することによって、２つの端末が互いを呼び出す際の時間の無駄を避けることができるため、時間の節約と効率向上になる。
【００７３】
また、本開示の実施形態に係る話中回線を処理する方法では、第１端末が開始した第１呼び出し要求および第２端末が開始した第２呼び出し要求の一方を中止し、第１端末および第２端末のうち中止された呼び出し要求を開始した方に中止処理報知メッセージを送信することによって、その後の呼び出し処理で回線が話中になることを防ぎ、第１端末と第２端末を正常に通信させる効果を達成することができる。
【００７４】
図６は、本開示の別の例示的な実施形態に係る話中回線を処理する方法の工程を示す概略図である。本実施形態では、図１に示すサーバにおいて適用した話中回線を処理する方法を例にとる。話中回線を処理する方法は、以下のステップを含んでいてもよい。
【００７５】
ステップ６０１において、呼び出した端末が話中状態である場合に、端末からサーバに番号問合要求が送信される。
【００７６】
例えば、端末Ａを本端末、端末Ｂを呼び出した端末とする。端末Ａおよび端末Ｂは、移動通信機器または固定通信機器である。
【００７７】
端末Ｂが話中状態である場合、端末Ａは番号問合要求をサーバに送信する。
【００７８】
ステップ６０２において、本端末が送信した番号問合要求をサーバが受信する。
【００７９】
番号問合要求は、呼び出した端末が話中状態である場合に、本端末によってサーバに送信される。
【００８０】
ステップ６０３において、呼び出した端末が開始した呼び出し要求に応じて、サーバが本端末にフィードバックを送信する。
【００８１】
本ステップには二つの異なる具体化態様が含まれる。
【００８２】
第１に、図７に示すステップ６０３ａに示すとおり、サーバは、呼び出した端末が開始した呼び出し要求における番号をフィードバックに含めることによって本端末に送信する。
【００８３】
例えば、サーバは、端末Ａに対して端末Ｂが呼び出した番号をフィードバックに含めることによって送信する。
【００８４】
第２に、図８に示すステップ６０３ｂに示すとおり、サーバは、呼び出した端末が開始した呼び出し要求における番号が本端末の番号であるかどうかを検出し、検出結果をフィードバックに含めることによって本端末に送信する。
【００８５】
例えば、サーバは、端末Ｂが呼び出した番号が端末Ａの番号であるかどうかを検出し、フィードバックを介して端末Ａに検出結果を送信する。
【００８６】
第２の具体化態様によると、呼び出した端末から個人情報が漏洩することを防ぐことができる。
【００８７】
ステップ６０４において、サーバが送信した番号問合要求に対するフィードバックを本端末が受信する。
【００８８】
上記に対応して、本ステップには二つの異なる具体化態様が含まれる。
【００８９】
第１に、図７に示すとおり、サーバが送信したフィードバックを本端末が受信する。フィードバックには呼び出した端末が開始した呼び出し要求における番号が含まれる。
【００９０】
第２に、図８に示すとおり、サーバが送信した検出結果を含むフィードバックを本端末が受信する。検出結果は、呼び出した端末が開始した呼び出し要求における番号が本端末の番号であるかどうかを検出した後にサーバによって取得される。
【００９１】
ステップ６０５において、呼び出した端末が本端末を呼び出していることをフィードバックが示している場合、本端末が、サーバに接続要求を送信するか、サーバまたは呼び出した端末に中止要求を送信する。
【００９２】
接続要求は、本端末を呼び出した端末と接続することをサーバに対して要求するために用いる。
【００９３】
中止要求は、呼び出した端末が開始した呼び出し要求を中止することを要求するために用いる。
【００９４】
上述のとおり、本開示の実施形態に係る話中回線を処理する方法では、端末は、サーバに対して番号問合要求を送信し、番号問合要求に応じてサーバが送信したフィードバックを受信した後、フィードバックに応じて接続要求をサーバに送信するか、呼び出した端末が開始した呼び出し要求を中止する中止要求を送信して通信を確立する。したがって、２つの端末が互いへの呼び出し要求を開始することによって回線が話中になるという問題を解決することができ、２つの端末が互いへの呼び出し要求を開始した場合に、サーバがこれら２つの端末を接続するか、呼び出した端末が開始した呼び出し要求を中止するという効果を達成することができる。
【００９５】
図９は、本開示の別の例示的な実施形態に係る別の話中回線を処理する方法の工程を示す概略図である。本実施形態では、図１に示すサーバにおいて適用した話中回線を処理する方法を例にとる。話中回線を処理する方法は、以下のステップを含んでいてもよい。
【００９６】
ステップ６０１において、呼び出した端末が話中状態である場合、端末がサーバに番号問合要求を送信する。
【００９７】
例えば、端末Ａを本端末、端末Ｂを呼び出した端末とする。端末Ａおよび端末Ｂは、移動通信機器または固定通信機器である。
【００９８】
端末Ｂが話中状態である場合、端末Ａは端末Ｂの呼び出した番号を問い合わせる番号問合要求をサーバに送信する。
【００９９】
ステップ６０２において、本端末が送信した番号問合要求をサーバが受信する。
【０１００】
番号問合要求は、呼び出した端末が話中状態である場合に、本端末からサーバに送信される。
【０１０１】
ステップ６０３において、呼び出した端末が開始した呼び出し要求に応じて、サーバから本端末へフィードバックが送信される。
【０１０２】
本ステップには二つの異なる具体化態様が含まれる。
【０１０３】
第１に、サーバは、呼び出した端末が開始した呼び出し要求における番号をフィードバックに含めることによって本端末に送信する。
【０１０４】
第２に、サーバは、呼び出した端末が開始した呼び出し要求における番号が本端末の番号であるかどうかを検出し、検出結果をフィードバックに含めることによって本端末に送信する。
【０１０５】
ステップ６０４において、サーバが送信した番号問合要求に対するフィードバックを本端末が受信する。
【０１０６】
上記に対応して、本ステップには二つの異なる具体化態様が含まれる。
【０１０７】
第１に、サーバが送信したフィードバックを本端末が受信する。フィードバックには呼び出した端末が開始した呼び出し要求における番号が含まれる。
【０１０８】
例えば、端末Ａは、サーバが送信した端末Ｂの呼び出した番号を受信する。端末Ａの番号を１３００とすると、端末Ｂの呼び出した番号が端末Ａの番号である場合、端末Ａがサーバから受信したフィードバックによって、端末Ｂが１３００を呼び出していることが示される。図１０の左側に示すとおり、サーバが送信したフィードバックは端末Ａに表示される。
【０１０９】
第２に、サーバが送信した検出結果を含むフィードバックを本端末が受信する。検出結果は、呼び出した端末が開始した呼び出し要求における番号が本端末の番号であるかどうかを検出した後にサーバによって取得される。
【０１１０】
例えば、端末Ａはサーバが送信した検出結果を含むフィードバックを受信する。端末Ｂの呼び出した番号を検出することによってサーバが検出結果を取得したとすると、端末Ｂが端末Ａを呼び出していることを検出結果が示している場合、端末Ａが受信したフィードバックによって、端末Ｂがあなたを呼び出していることが示される。図１０の右側に示すとおり、サーバが送信したフィードバックは端末Ａに表示される。
【０１１１】
ステップ６０５において、呼び出した端末が本端末を呼び出していることをフィードバックが示している場合、本端末がサーバに接続要求を送信する。
【０１１２】
接続要求は、本端末を呼び出した端末と接続することをサーバに対して要求するために用いる。
【０１１３】
ステップ６０６において、本端末が送信した接続要求をサーバが受信する。
【０１１４】
呼び出した端末が本端末を呼び出していることをフィードバックが示している場合、本端末がサーバに接続要求を送信する。
【０１１５】
ステップ６０７において、接続要求に応じてサーバが本端末を呼び出した端末と接続する。
【０１１６】
ステップ６０６において端末Ａが送信した接続要求を受信することによって、サーバは端末Ａを端末Ｂと接続する。
【０１１７】
別の具体化態様として、図１１を参照して、ステップ６０５〜６０７を以下のステップと置き換えてもよい。
【０１１８】
ステップ６０５ａにおいて、呼び出した端末が本端末を呼び出していることをフィードバックが示している場合、本端末がサーバに中止要求を送信する。
【０１１９】
中止要求は、呼び出した端末が開始した呼び出し要求を中止することをサーバに対して要求するために用いる。
【０１２０】
ステップ６０６ａにおいて、本端末が送信した中止要求をサーバが受信する。
【０１２１】
中止要求は、呼び出した端末が本端末を呼び出していることをフィードバックが示している場合、本端末によってサーバに送信される。
【０１２２】
ステップ６０７ａにおいて、中止要求に応じて、呼び出した端末が開始した呼び出し要求をサーバが中止する。
【０１２３】
あるいは、本方法は、ステップ６０７ａの後に以下のステップをさらに含んでいてもよい。
【０１２４】
ステップ６０８において、サーバは呼び出した端末に中止処理報知メッセージを送信する。
【０１２５】
中止処理報知メッセージは、呼び出した端末が呼び出し要求の開始を継続しないことを示すために用いる。
【０１２６】
例えば、端末Ｂが開始した呼び出し要求をサーバが中止した場合、サーバは端末Ｂに中止処理報知メッセージを送信し、中止処理報知メッセージが端末Ｂに表示され、中止処理報知メッセージに応じて端末Ｂのユーザは端末Ａに対する呼び出し要求の開始を一旦停止してもよい。あるいは、中止処理報知メッセージに応じて、端末Ｂは端末Ａに対する呼び出し要求の開始を自動的に一旦停止する。
【０１２７】
本実施形態では、端末Ｂに表示される中止処理報知メッセージを示す図（すなわち、図１２）を提供する。サーバが送信した中止処理報知メッセージは、端末Ｂに表示される。中止処理報知メッセージは、「端末Ａに対する呼び出し要求の開始を一旦停止してください。その後に通信が確立されます。」といったメッセージであってもよい。中止処理報知メッセージに応じて、端末Ｂは端末Ａに対する呼び出し要求の開始を停止する。
【０１２８】
このようにして、呼び出した端末が開始した呼び出し要求が中止された後に、通常の手順で通信が実施されるように本端末を呼び出した端末と正常に接続してもよい。
【０１２９】
別の実現可能な具体化態様として、図１３を参照して、ステップ６０５〜６０７を以下のステップと置き換えてもよい。
【０１３０】
ステップ６０５ｂにおいて、呼び出した端末が本端末を呼び出していることをフィードバックが示している場合、本端末が呼び出した端末に中止要求を送信する。
【０１３１】
中止要求は、呼び出した端末が開始した呼び出し要求を中止することを呼び出した端末に対して要求するために用いる。
【０１３２】
ステップ６０６ｂにおいて、本端末が送信した中止要求を呼び出した端末が受信する。
【０１３３】
ステップ６０７ｂにおいて、中止要求に応じて、呼び出した端末が開始した呼び出し要求を呼び出した端末が中止する。
【０１３４】
本ステップには、以下のとおり二つの具体化態様が含まれてもよい。
【０１３５】
第１に、中止要求が受信された後、呼び出し要求は、呼び出した端末によって自動的に中止される。
【０１３６】
第２に、中止要求が受信された後、呼び出した端末に中止要求が表示され、ユーザから中止要求に対するフィードバック信号を受信し、フィードバック信号に応じて呼び出し要求が中止される。
【０１３７】
図１４に示すとおり、本端末が送信した中止要求が呼び出した端末に表示される。
【０１３８】
このようにして、呼び出した端末が開始した呼び出し要求が中止された後に、通常の手順で通信が実施されるように本端末を呼び出した端末と正常に接続してもよい。
【０１３９】
上述のとおり、本開示の実施形態に係る話中回線を処理する方法では、端末は、サーバに対して番号問合要求を送信し、番号問合要求に応じてサーバが送信したフィードバックを受信した後、フィードバックに応じて接続要求をサーバに送信するか、呼び出した端末が開始した呼び出し要求を中止する中止要求を送信して通信を確立する。したがって、２つの端末が互いへの呼び出し要求を開始した場合に回線が話中になるという問題を解決することができ、２つの端末が互いへの呼び出し要求を開始した場合に、サーバがこれら２つの端末を接続するか、呼び出した端末が開始した呼び出し要求を中止するという効果を達成することができる。
【０１４０】
図１５は、本開示の別の例示的な実施形態に係る別の話中回線を処理する方法の工程を示す概略図である。本実施形態では、図１に示すサーバにおいて適用した話中回線を処理する方法を例にとる。話中回線を処理する方法は、以下のステップを含んでいてもよい。
【０１４１】
ステップ７０１において、呼び出した端末が話中状態である場合、端末から呼び出した端末へ番号問合要求が送信される。
【０１４２】
番号問合要求は、本端末から呼び出した端末に二種類の異なる方法で送信される。
【０１４３】
第１に、番号問合要求は、サーバを介して本端末から呼び出した端末に送信される。
【０１４４】
第２に、番号問合要求は、本端末から呼び出した端末に直接送信される。
【０１４５】
ステップ７０２において、本端末が送信した番号問合要求を呼び出した端末が受信する。
【０１４６】
上記に対応して、本端末が送信した番号問合要求は、二種類の異なる方法で呼び出した端末に受信される。
【０１４７】
第１に、本端末が送信した番号問合要求は、サーバを介して呼び出した端末に受信される。
【０１４８】
第２に、本端末が送信した番号問合要求は、呼び出した端末によって直接受信される。
【０１４９】
ステップ７０３において、呼び出した端末が開始した呼び出し要求に応じて、呼び出した端末が本端末にフィードバックを送信する。
【０１５０】
本ステップには、以下のとおり二つの異なる具体化態様が含まれてもよい。
【０１５１】
第１に、呼び出した端末が開始した呼び出し要求における番号をフィードバックに含めることによって、呼び出した端末から本端末に直接送信するか、サーバを介して本端末に送信する。
【０１５２】
第２に、呼び出した端末が開始した呼び出し要求における番号が本端末の番号であるかどうかを呼び出した端末が検出し、検出結果をフィードバックに含めることによって直接またはサーバを介して本端末に送信する。
【０１５３】
ステップ７０４において、呼び出した端末が送信した番号問合要求に対するフィードバックを本端末が受信する。
【０１５４】
本ステップには、三つの異なる具体化態様が含まれてもよい。
【０１５５】
第１に、番号問合要求がサーバを介して本端末から呼び出した端末に送信される場合、サーバが送信した検出結果を含むフィードバックを本端末が受信する。検出結果は、呼び出した端末が開始した呼び出し要求における番号が本端末の番号であるかどうかを検出した後、呼び出した端末によって取得される。
【０１５６】
例えば、サーバが送信した検出結果を含むフィードバックを端末Ａが受信する。端末Ｂの呼び出した番号を検出することによってサーバが検出結果を取得したとすると、端末Ｂが端末Ａを呼び出していることを検出結果が示している場合、端末Ａが受信したフィードバックによって、端末Ｂがあなたを呼び出していることが示される。図１６の左側に示すとおり、サーバが送信したフィードバックは端末Ａに表示される。
【０１５７】
第２に、番号問合要求が呼び出した端末に直接送信される場合、呼び出した端末が送信したフィードバックを本端末が受信する。フィードバックには、呼び出した端末が開始した呼び出し要求における番号が含まれる。
【０１５８】
例えば、端末Ａは、サーバが送信した端末Ｂの呼び出した番号を受信する。端末Ａの番号を１３００とすると、端末Ｂの呼び出した番号が端末Ａの番号である場合、端末Ａが端末Ｂから受信したフィードバックによって、端末Ｂが１３００を呼び出していることが示される。図１６の中央に示すとおり、サーバが送信したフィードバックは端末Ａに表示される。
【０１５９】
第３に、番号問合要求が呼び出した端末に直接送信される場合、呼び出した端末が送信した検出結果を含むフィードバックを本端末が受信する。検出結果は、呼び出した端末が開始した呼び出し要求における番号が本端末の番号であるかどうかを検出した後に、サーバまたは呼び出した端末によって取得される。
【０１６０】
例えば、端末Ａは、端末Ｂが送信した検出結果を含むフィードバックを受信する。端末Ｂの呼び出した番号を検出することによって端末Ｂが検出結果を取得したとすると、端末Ｂが端末Ａを呼び出していることを検出結果が示している場合、端末Ａが受信したフィードバックによって、端末Ｂがあなたを呼び出していることが示される。図１６の右側に示すとおり、サーバが送信したフィードバックは端末Ａに表示される。
【０１６１】
ステップ７０５において、本端末が中止要求を呼び出した端末に送信する。
【０１６２】
中止要求は、呼び出した端末が開始した呼び出し要求を中止することを要求するために用いる。
【０１６３】
ステップ７０６において、本端末が送信した中止要求を呼び出した端末が受信する。中止要求は、呼び出した端末が本端末を呼び出していることをフィードバックが示している場合に、本端末によって呼び出した端末に送信される。
【０１６４】
本実施形態では、端末Ｂに表示される中止処理報知メッセージを示す図（すなわち、図１７）を提供する。端末Ａが送信した中止処理報知メッセージを端末Ｂが表示する。中止処理報知メッセージは、「端末Ａに対する呼び出し要求の開始を一旦停止してください。その後に通信が確立されます。」といったメッセージであってもよい。中止処理報知メッセージに応じて、端末Ｂは端末Ａに対する呼び出し要求の開始を停止する。
【０１６５】
ステップ７０７において、呼び出した端末が開始した呼び出し要求が、中止要求に応じて中止される。
【０１６６】
このようにして、呼び出した端末が開始した呼び出し要求が中止された後に、通常の手順で通信が実施されるように本端末を呼び出した端末と正常に接続してもよい。
【０１６７】
本実施形態は、番号問合要求および中止要求が、本端末と呼び出した端末との間で直接送信可能であり、２つの端末間のリアルタイムな通信が実行できる、すなわち、ネットワークを介してある端末と別の端末との間に通信を確立することができるという点で、図９〜１４に示した実施形態と異なる。
【０１６８】
上述のとおり、本開示の実施形態に係る話中回線を処理する方法では、端末は、呼び出した端末に対して番号問合要求を送信し、番号問合要求に応じて呼び出した端末が送信したフィードバックを受信した後、フィードバックに応じて、呼び出した端末が開始した呼び出し要求を中止する中止要求を呼び出した端末に送信し、通信を確立する。したがって、２つの端末が互いへの呼び出し要求を開始することによって回線が話中になるという問題を解決することができ、２つの端末が互いへの呼び出し要求を開始した場合に、呼び出した端末が開始した呼び出し要求を中止することによって、２つの端末間のリアルタイムな通信を実行することができる。
【０１６９】
本開示の実施形態に係る話中回線を処理する方法は、説明のために、互いに通信を行っている２つの電話端末を例に取っているにすぎない。本方法は、本開示の実施形態に係る話中回線を処理する方法が実現できる範囲で、ネットワーク通信に適用することもできる。本開示はそれによって限定されるものではない。
【０１７０】
本開示の装置を提供する実施形態は以下のとおりである。本装置は、本開示の実施形態に係る方法を実施するために用いる。本装置の実施形態では説明しない詳細については、本方法の実施形態を参照されたい。
【０１７１】
図１８は、本開示の例示的な実施形態に係る話中回線を処理する装置のブロック図である。本装置は、ハードウェア、ソフトウェア、またはそれらの組み合わせによるサーバの全部または一部であってもよい。本話中回線を処理する装置は、検出モジュール５１、処理モジュール５２、および送信モジュール５３を備えていてもよい。
【０１７２】
検出モジュール５１は、第１端末が第２端末に対して第１呼び出し要求を開始し、第２端末が第１端末に対して第２呼び出し要求を開始しているかどうかを検出するように構成される。
【０１７３】
処理モジュール５２は、第１端末が第２端末に対して第１呼び出し要求を開始し、第２端末が第１端末に対して第２呼び出し要求を開始していることを検出モジュール５１が検出した場合、第１端末を第２端末と接続するか、第１端末が開始した第１呼び出し要求または第２端末が開始した第２呼び出し要求を中止するように構成される。
【０１７４】
あるいは、検出モジュール５１は、第１端末が開始した第１呼び出し要求における番号が第２端末の番号であるかどうかと、第２端末が開始した第２呼び出し要求における番号が第１端末の番号であるかどうかとを検出するようにさらに構成される。
【０１７５】
あるいは、図１９を参照して、処理モジュール５２は、第１呼び出し要求の開始時刻および第２呼び出し要求の開始時刻に応じて、第１呼び出し要求および第２呼び出し要求のうち開始時刻が遅い方を決定するように構成される決定ユニット５２１と、開始時刻が遅い方の呼び出し要求を中止するように構成される中止ユニット５２２とを備える。
【０１７６】
また、話中回線を処理する装置は、
第１端末が開始した第１呼び出し要求が処理モジュール５２によって中止された後に、第１端末が第１呼び出し要求の開始を継続しないことを示すために用いる中止処理報知メッセージを第１端末に送信するように構成される送信モジュール５３または、
第２端末が開始した第２呼び出し要求が処理モジュール５２によって中止された後に、第２端末が第２呼び出し要求の開始を継続しないことを示すために用いる中止処理報知メッセージを第２端末に送信するように構成される送信モジュール５３をさらに備える。
【０１７７】
上述のとおり、本開示の実施形態に係る話中回線を処理する装置では、第１端末が第２端末に対して第１呼び出し要求を開始し、第２端末が第１端末に対して第２呼び出し要求を開始していることが検出された場合、第１端末を第２端末と接続するか、第１端末が開始した第１呼び出し要求または第２端末が開始した第２呼び出し要求が中止される。したがって、２つの端末が互いへの呼び出し要求を開始することによって回線が話中になるという問題が解決され、２つの端末が互いへの呼び出し要求を開始した場合に、サーバによって２つの端末を接続するか、サーバによって２つの端末のうち一方が開始した呼び出し要求を中止することによって、２つの端末が互いを呼び出す際の時間の無駄を避けることができるため、時間の節約と効率向上になる。
【０１７８】
図２０は、本開示の別の例示的な実施形態に係る話中回線を処理する装置のブロック図である。本装置は、ハードウェア、ソフトウェア、またはそれらの組み合わせによる端末の全部または一部であってもよい。本話中回線を処理する装置は、送信モジュール６１、受信モジュール６２、接続要求モジュール６３、および中止要求モジュール６４を備えていてもよい。
【０１７９】
送信モジュール６１は、呼び出した端末が話中状態である場合に、番号問合要求を送信するように構成される。
【０１８０】
受信モジュール６２は、番号問合要求に対して、呼び出した端末が開始した呼び出し要求に応じたフィードバックを受信するように構成される。
【０１８１】
接続要求モジュール６３は、呼び出した端末が本端末を呼び出していることをフィードバックが示している場合、本端末を呼び出した端末と接続することをサーバに対して要求するために用いる接続要求をサーバに送信するように構成される。あるいは、中止要求モジュール６４は、呼び出した端末が開始した呼び出し要求を中止することを要求するために用いる中止要求をサーバまたは呼び出した端末に送信するように構成される。
【０１８２】
あるいは、受信モジュール６２は、番号問合要求がサーバに送信された場合、サーバが送信したフィードバックを受信するようにさらに構成される。フィードバックには、呼び出した端末が開始した呼び出し要求における番号が含まれる。
あるいは、受信モジュール６２は、番号問合要求がサーバに送信された場合、サーバが送信した検出結果を含むフィードバックを受信するようにさらに構成される。検出結果は、呼び出した端末が開始した呼び出し要求における番号が本端末の番号であるかどうかを検出した後にサーバによって取得される。
あるいは、受信モジュール６２は、番号問合要求がサーバを介して呼び出した端末に送信された場合、サーバが送信した検出結果を含むフィードバックを受信するようにさらに構成される。検出結果は、呼び出した端末が開始した呼び出し要求における番号が本端末の番号であるかどうかを検出した後に呼び出した端末によって取得される。
あるいは、受信モジュール６２は、番号問合要求が呼び出した端末に直接送信された場合、呼び出した端末が送信したフィードバックを受信するようにさらに構成される。フィードバックには、呼び出した端末が開始した呼び出し要求における番号が含まれる。
あるいは、受信モジュール６２は、番号問合要求が呼び出した端末に直接送信された場合、呼び出した端末が送信した検出結果を含むフィードバックを受信するようにさらに構成される。検出結果は、呼び出した端末が開始した呼び出し要求における番号が本端末の番号であるかどうかを検出した後にサーバまたは呼び出した端末によって取得される。
【０１８３】
上述のとおり、本開示の実施形態に係る話中回線を処理する装置では、本端末は、サーバに対して番号問合要求を送信し、番号問合要求に応じてサーバが送信したフィードバックを受信した後、フィードバックに応じて接続要求をサーバに送信して通信を確立する要求を行う。したがって、２つの端末が互いへの呼び出し要求を開始することによって回線が話中になるという問題を解決することができ、２つの端末が互いに呼び出し要求を開始した場合に、サーバが、これら２つの端末を接続するか、呼び出した端末が開始した呼び出し要求を中止することができる。さらに、本端末は、呼び出した端末の呼び出した番号が本端末の番号であるかどうかを番号問合要求によって検出し、呼び出した端末が本端末を呼び出していない場合は、サーバが送信したフィードバックに応じて本端末はハングアップし、時間を節約することができる。
【０１８４】
図２１は、本開示の別の例示的な実施形態に係る別の話中回線を処理する装置のブロック図である。本装置は、ハードウェア、ソフトウェア、またはそれらの組み合わせによるサーバの全部または一部であってもよい。本話中回線を処理する装置は、受信モジュール７１、フィードバックモジュール７２、接続要求受信モジュール７３、接続要求処理モジュール７４、中止要求受信モジュール７５、中止要求処理モジュール７６、および送信モジュール７７を備えていてもよい。
【０１８５】
受信モジュール７１は、端末が送信した番号問合要求を受信するように構成される。番号問合要求は、呼び出した端末が話中状態である場合に本端末によって送信される。
【０１８６】
フィードバックモジュール７２は、呼び出した端末が開始した呼び出し要求に応じてフィードバックを本端末に送信するように構成される。フィードバックは、呼び出した端末が本端末を呼び出していることをフィードバックが示している場合に、本端末にサーバに対して接続要求を送信させるために用い、接続要求は、本端末を呼び出した端末と接続することをサーバに要求するために用いる。あるいは、フィードバックは、サーバまたは呼び出した端末に中止要求を送信するために用い、中止要求は、呼び出した端末が開始した呼び出し要求を中止することを要求するために用いる。
【０１８７】
あるいは、図２２に示すとおり、フィードバックモジュール７２は、
呼び出した端末が開始した呼び出し要求における番号をフィードバックに含めることによって本端末に送信するように構成される第１フィードバックユニット７２１
または、
呼び出した端末が開始した呼び出し要求における番号が本端末の番号であるかどうかを検出し、検出結果をフィードバックに含めることによって本端末に送信するように構成される第２フィードバックユニット７２２をさらに備える。
【０１８８】
あるいは、話中回線を処理する装置は、
呼び出した端末が本端末を呼び出していることをフィードバックが示している場合に、本端末がサーバに送信する接続要求を受信するように構成される接続要求受信モジュール７３と、
接続要求受信モジュール７３が受信した接続要求に応じて、本端末を呼び出した端末と接続するように構成される接続要求処理モジュール７４とをさらに備える。
【０１８９】
あるいは、話中回線を処理する装置は、
呼び出した端末が本端末を呼び出していることをフィードバックが示している場合に、本端末がサーバに送信する中止要求を受信するように構成される中止要求受信モジュール７５と、
中止要求受信モジュール７５が受信した中止要求に応じて、呼び出した端末が開始した呼び出し要求を中止するように構成される中止要求処理モジュール７６とをさらに備える。
【０１９０】
あるいは、話中回線を処理する装置は、呼び出した端末が開始した呼び出し要求が中止要求処理モジュール７６によって中止された後に、呼び出した端末に対して中止処理報知メッセージを送信するように構成される送信モジュール７７をさらに備える。中止処理報知メッセージは、呼び出した端末が呼び出し要求の開始を継続しないことを示すために用いる。
【０１９１】
上述のとおり、本開示の実施形態に係る話中回線を処理する装置では、本端末は、サーバに対して番号問合要求を送信し、番号問合要求に応じてサーバが送信したフィードバックを受信し、呼び出した端末が本端末を呼び出していることをフィードバックが示している場合、中止要求をサーバまたは呼び出した端末に送信する。したがって、２つの端末が互いへの呼び出し要求を開始した場合に回線が話中になるという問題を解決することができ、２つの端末が互いへの呼び出し要求を開始した場合に、サーバがこれら２つの端末を接続するか、２つの端末のうち一方が開始した呼び出し要求を中止してこれら２つの端末を接続するという効果を達成することができる。
【０１９２】
図２３は、本開示の別の例示的な実施形態に係る別の話中回線を処理する装置のブロック図である。本装置は、ハードウェア、ソフトウェア、またはそれらの組み合わせによる呼び出した端末の全部または一部であってもよい。本話中回線を処理する装置は、受信モジュール８１、フィードバックモジュール８２、中止要求受信モジュール８３、および中止要求処理モジュール８４を備えていてもよい。
【０１９３】
受信モジュール８１は、端末が送信した番号問合要求を受信するように構成される。番号問合要求は、呼び出した端末が話中状態である場合に本端末によって送信される。
【０１９４】
フィードバックモジュール８２は、呼び出した端末が開始した呼び出し要求に応じてフィードバックを本端末に送信するように構成される。フィードバックは、呼び出した端末が本端末を呼び出していることをフィードバックが示している場合に、本端末にサーバに対して接続要求を送信させるか、サーバまたは呼び出した端末に対して中止要求を送信させるために用い、接続要求は、本端末を呼び出した端末と接続することをサーバに要求するために用い、中止要求は、呼び出した端末が開始した呼び出し要求を中止することを要求するために用いる。
【０１９５】
あるいは、図２４を参照して、フィードバックモジュール８２は、
呼び出した端末が開始した呼び出し要求における番号をフィードバックに含めることによって本端末に直接送信するか、サーバを介して本端末に送信するように構成される第３フィードバックユニット８２１
または、
呼び出した端末が開始した呼び出し要求における番号が本端末の番号であるかどうかを検出し、検出結果をフィードバックに含めることによって本端末に送信するか、サーバを介して本端末に送信するように構成される第４フィードバックユニット８２２を備える。
【０１９６】
また、中止要求受信モジュール８３は、本端末が送信した中止要求を受信するように構成される。中止要求は、呼び出した端末が本端末を呼び出していることをフィードバックが示している場合に、本端末によって呼び出した端末に送信される。
【０１９７】
中止要求処理モジュール８４は、中止要求受信モジュール８３が受信した中止要求に応じて、呼び出し要求を中止するように構成される。
【０１９８】
上述のとおり、本開示の実施形態に係る話中回線を処理する装置では、本端末は、呼び出した端末に対して番号問合要求を送信し、番号問合要求に応じて呼び出した端末が送信したフィードバックを受信した後、フィードバックに応じて中止要求を呼び出した端末に送信して呼び出した端末が開始した呼び出し要求を中止することによって、通信を確立する。したがって、２つの端末が互いへの呼び出し要求を開始した場合に回線が話中になるという問題を解決することができ、２つの端末が互いへの呼び出し要求を開始した場合に、呼び出した端末が開始した呼び出し要求を中止することによって、２つの端末間のリアルタイムな通信を実行するという効果を達成することができる。
【０１９９】
図２５は、本開示のなお別の例示的な実施形態に係る話中回線を処理する装置の概略図である。本装置は、ハードウェア、ソフトウェア、またはそれらの組み合わせによる呼び出した端末の全部または一部であってもよい。本話中回線を処理する装置は、受信モジュール９１および中止モジュール９２を備えていてもよい。
【０２００】
受信モジュール９１は、端末が送信した中止要求を受信するように構成される。中止要求は、呼び出した端末が本端末を呼び出していることを本端末がサーバから受信したフィードバックが示している場合に、本端末によって呼び出した端末に送信される。フィードバックは、呼び出した端末が話中状態である場合に、本端末によってサーバに送信される番号問合要求に対するフィードバックである。
【０２０１】
中止モジュール９２は、受信モジュール９１が受信した中止要求に応じて、呼び出し要求を中止するように構成される。
【０２０２】
あるいは、図２６を参照して、中止モジュール９２は、
中止要求が受信された場合に、呼び出し要求を自動的に中止するように構成される第１中止ユニット９２１
または、
中止要求が受信された場合に、中止要求を表示するように構成される表示ユニット９２２と、中止要求に対してフィードバック信号を受信するように構成される受信ユニット９２３と、受信ユニット９２３が受信したフィードバック信号に応じて呼び出し要求を中止するように構成される第２中止ユニット９２４とを備える。
【０２０３】
上述のとおり、本開示の実施形態に係る話中回線を処理する装置では、本端末は、サーバに対して番号問合要求を送信し、番号問合要求に応じてサーバが送信したフィードバックを受信し、呼び出した端末が本端末を呼び出していることをフィードバックが示している場合、中止要求を呼び出した端末に送信することによって、中止要求に応じて呼び出した端末が呼び出し要求を中止するか、呼び出した端末が中止要求を表示し、中止要求に対応するフィードバック信号を受信した後、フィードバック信号に応じて呼び出し要求を中止する。したがって、２つの端末が互いへの呼び出し要求を開始することによって回線が話中になるという問題が解決され、呼び出した端末が開始した呼び出し要求を中止することによって呼び出しの衝突を処理し、通信を確立し、２つの端末の開始時間を節約するという効果を達成することができる。
【０２０４】
上述の実施形態における装置について、これら装置における個々のモジュールの操作を実施する具体的な方法は、話中回線を処理する方法に関する実施形態において詳述したため、ここで再度詳述することはしない。
【０２０５】
図２７は、本開示の例示的な実施形態に係るサーバの概略図である。サーバ１０００の構成または機能は多様であってもよいが、１つ以上の中央処理装置（ＣＰＵ（ｃｅｎｔｒａｌ  ｐｒｏｃｅｓｓｉｎｇ  ｕｎｉｔ））１０２２（１つ以上のプロセッサなど）およびメモリ１０３２ならびにアプリケーションプログラム１０４２またはデータ１０４４を記憶する１つ以上の記憶媒体１０３０（１つ以上の大容量記憶装置など）を備えていてもよい。メモリ１０３２および記憶媒体１０３０は一時的であっても非一時的であってもよい。記憶媒体１０３０に記憶されたアプリケーションプログラムは、１つ以上のモジュール（図示せず）を備えていてもよく、各モジュールはサーバに対する一連の命令を含んでいてもよい。また、中央処理装置１０２２は、記憶媒体１０３０と通信してサーバ１０００に対して記憶媒体１０３０に記憶される一連の命令を実行するように構成されていてもよい。
【０２０６】
サーバ１０００は、１つ以上の電源１０２６、１つ以上の有線または無線ネットワークインターフェース１０５０、１つ以上の入出力インターフェース１０５８、１つ以上のキーボード１０５６、および／またはＷｉｎｄｏｗｓ  Ｓｅｒｖｅｒ（登録商標）、Ｍａｃ  ＯＳ  Ｘ（登録商標）、Ｕｎｉｘ（登録商標）、Ｌｉｎｕｘ（登録商標）、ＦｒｅｅＢＳＤ（登録商標）などの１つ以上のオペレーティングシステム１０４１をさらに備えていてもよい。
【０２０７】
記憶媒体１０３０内の命令がサーバ１０００のプロセッサによって実行された場合、サーバ１０００は本開示の上記実施形態に係る話中回線を処理する方法を実行してもよい。
【０２０８】
図２８は、本開示の例示的な実施形態に係る端末１１００の概略図である。例えば、端末１１００は、携帯電話、コンピュータ、デジタル放送用端末、メッセージ送受信機器、ゲームコントローラ、タブレット装置、医療機器、フィットネス機器、およびＰＤＡなどであってもよい。
【０２０９】
図２８を参照し、端末１１００は、プロセッサ部１１０２、メモリ１１０４、電源部１１０６、マルチメディア部１１０８、音声部１１１０、入出力（Ｉ／Ｏ）インターフェース１１１２、センサ部１１１４、および通信部１１１６の１つ以上を含んでいてもよい。
【０２１０】
通常、プロセッサ部１１０２は、表示、通話、データ通信、カメラ動作、および記録動作に関する動作など、端末１１００の動作全体を制御する。プロセッサ部１１０２は、１つ以上のプロセッサ１１２０を備えて上記方法のステップの全部または一部を実施する命令を実行してもよい。さらに、プロセッサ部１１０２は、プロセッサ部１１０２と他の構成要素との間の相互作用を支援する１つ以上のモジュールを備えていてもよい。例えば、プロセッサ部１１０２は、マルチメディア部１１０８とプロセッサ部１１０２との間の相互作用を支援するマルチメディアモジュールを備えていてもよい。
【０２１１】
メモリ１１０４は、各種データを格納して、端末１１００の動作をサポートするように構成される。このようなデータとしては、例えば、端末１１００で操作される任意のアプリケーションまたは方法に関する命令、連絡先データ、電話帳データ、メッセージ、写真、動画などが挙げられる。メモリ１１０４は、揮発性あるいは不揮発性装置、またはその組み合わせなど、どの種類のメモリ装置を使って実装してもよい。例えば、スタティックＲＡＭ（Ｓｔａｔｉｃ  Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ−Ｏｎｌｙ  Ｍｅｍｏｒｙ）、ＰＲＯＭ（Ｐｒｏｇｒａｍｍａｂｌｅ  Ｒｅａｄ−Ｏｎｌｙ  Ｍｅｍｏｒｙ）、ＲＯＭ（Ｒｅａｄ−Ｏｎｌｙ  Ｍｅｍｏｒｙ）、磁気メモリ、フラッシュメモリ、磁気ディスク、および光ディスクなどである。
【０２１２】
電源部１１０６は、端末１１００の各種構成要素に電力を供給する。電源部１１０６は、電力管理システム、１つ以上の電源、ならびに端末１１００における電力の生成、管理、および配電に関連する任意の他の構成要素を備えていてもよい。
【０２１３】
マルチメディア部１１０８は、端末１１００とユーザとの間の出力インターフェースを提供する画面を備える。いくつかの実施形態では、該画面は液晶表示装置（ＬＣＤ）およびタッチパネル（ＴＰ）を含んでいてもよい。画面にタッチパネルが含まれる場合、該画面は、ユーザからの入力信号を受け付けるタッチスクリーンとして実装されてもよい。タッチパネルは、タッチパネル上のタッチ、スワイプ、およびジェスチャーを感知する１つ以上のタッチセンサを備える。タッチセンサは、タッチ操作またはスワイプ操作の範囲を感知することに加えて、タッチ操作またはスワイプ操作に関する時間および押圧力も感知してもよい。いくつかの実施形態では、マルチメディア部１１０８は、フロントカメラおよび／またはバックカメラを備える。フロントカメラおよびバックカメラは、端末１１００が写真モードや動画モードなどの動作モードにある間、外部からマルチメディアデータを受信できる。フロントカメラおよびバックカメラは、それぞれ固定光学レンズ系であってもよいし、フォーカス機能や光学ズーム機能を有していてもよい。
【０２１４】
音声部１１１０は、音声信号を出力および／または入力するように構成される。例えば、音声部１１１０はマイク（「ＭＩＣ」）を含む。マイクは、端末１１００が、通話モード、記録モード、音声認識モードなどの動作モードで稼働している際、外部からの音声信号を受信するように構成される。受信した音声信号は、さらにメモリ１１０４に記憶されたり、通信部１１１６を介して送信されたりしてもよい。いくつかの実施形態では、音声部１１１０は音声信号を出力するためのスピーカーを備える。
【０２１５】
Ｉ／Ｏインターフェース１１１２は、プロセッサ部１１０２と、キーボード、クリックホイール、ボタンなどの周辺機器インターフェースモジュールとの間のインターフェースを提供する。ボタンとしては、ホームボタン、ボリュームボタン、起動ボタン、およびロックボタンが挙げられるが、これらに限定されない。
【０２１６】
センサ部１１１４は、端末１１００の各種機能の状態を判断するためのセンサを１つ以上備える。例えば、センサ部１１１４は、端末１１００の開閉状態、端末１１００の構成要素間（例えば、ディスプレイとキーパッド）の相対位置、端末１１００または端末１１００の構成要素の位置の変化、端末１１００に対するユーザの接触の有無、端末１１００の向きまたは加速／減速、および端末１１００の温度変化を検知することができる。センサ部１１１４は、近くにある物体の存在を物理的に接触せずに検出するように構成される近接センサを備えていてもよい。また、センサ部１１１４は、撮像アプリケーション用のＣＭＯＳイメージセンサやＣＣＤイメージセンサなどの光センサを備えていてもよい。いくつかの実施形態では、センサ部１１１４は、加速度センサ、ジャイロセンサ、磁気センサ、圧力センサ、または温度センサを備えていてもよい。
【０２１７】
通信部１１１６は、端末１１００と他の装置との間の有線または無線の通信を支援するように構成される。端末１１００はＷｉＦｉ、２Ｇ、あるいは３Ｇなどの通信規格またはその組み合わせに基づいて、無線ネットワークにアクセスすることができる。例示的な一実施形態では、通信部１１１６は、放送信号や放送に関連する情報を、外部の放送管理システムから放送チャネル経由で受信する。例示的な一実施形態では、通信部１１１６は、近距離通信を支援する近距離無線通信（ＮＦＣ）モジュールをさらに含む。例えば、ＮＦＣモジュールの実装には、ＲＦＩＤ（Ｒａｄｉｏ  Ｆｒｅｑｕｅｎｃｙ  Ｉｄｅｎｔｉｆｉｃａｔｉｏｎ）技術、ＩｒＤＡ（Ｉｎｆｒａｒｅｄ  Ｄａｔａ  Ａｓｓｏｃｉａｔｉｏｎ）技術、超広帯域無線（ＵＷＢ）技術、Ｂｌｕｅｔｏｏｔｈ（登録商標）（ＢＴ）技術、およびその他の通信技術を用いることができる。
【０２１８】
ある例示的な実施形態では、端末１１００は、１つ以上の特定用途向け集積回路（ＡＳＩＣ）、デジタル信号プロセッサ（ＤＳＰ）、デジタル信号処理装置（ＤＳＰＤ）、プログラム可能な論理素子（ＰＬＤ）、フィールドプログラマブルゲートアレイ（ＦＰＧＡ）、コントローラ、マイクロコントローラ、マイクロプロセッサ、またはその他の電子部品を用いて実装し、本開示の実施形態に係る上記方法を実施することができる。
【０２１９】
また、ある例示的な実施形態では、上記方法を実施するため、端末１１００のプロセッサ１１２０によって実行可能な命令を格納するメモリ１１０４のような、命令を格納する非一時的コンピュータ読取可能記憶媒体が提供される。非一時的コンピュータ読取可能記憶媒体としては、例えばＲＯＭ、ＲＡＭ（Ｒａｎｄｏｍ  Ａｃｃｅｓｓ  Ｍｅｍｏｒｙ）、ＣＤ−ＲＯＭ、磁気テープ、フロッピー（登録商標）ディスク、および光データ記憶装置、などが挙げられる。
【０２２０】
非一時的コンピュータ読取可能記憶媒体が提供される。記憶媒体内の命令が端末１１００のプロセッサによって実行されると、端末１１００は、本開示の上記実施形態に係る話中回線を処理する方法を実行してもよい。
【０２２１】
本開示の他の実施形態は、本願明細書の記載や本開示の実施を通じて当業者には明らかであろう。本願は、本開示の原理に従ったあらゆる変形、使用、適合を包含することを意図しており、当該分野で公知または慣行の範疇にある逸脱も本願の範囲に含まれる。明細書の記載や例はあくまでも例示であって、本開示の真の範囲および精神は特許請求の範囲によって示される。
【０２２２】
本開示は、上述および添付図面に図示した特定の構成に何ら限定されるものではなく、本開示の範囲から逸脱することなく種々の変形、変更が可能であることが理解されるであろう。本開示の範囲は、特許請求の範囲によってのみ限定されるものである。
【図１】
2016519913.tif 000003
【図２】
2016519913.tif 000004
【図３】
2016519913.tif 000005
【図４】
2016519913.tif 000006
【図５】
2016519913.tif 000007
【図６】
2016519913.tif 000008
【図７】
2016519913.tif 000009
【図８】
2016519913.tif 000010
【図９】
2016519913.tif 000011
【図１０】
2016519913.tif 000012
【図１１】
2016519913.tif 000013
【図１２】
2016519913.tif 000014
【図１３】
2016519913.tif 000015
【図１４】
2016519913.tif 000016
【図１５】
2016519913.tif 000017
【図１６】
2016519913.tif 000018
【図１７】
2016519913.tif 000019
【図１８】
2016519913.tif 000020
【図１９】
2016519913.tif 000021
【図２０】
2016519913.tif 000022
【図２１】
2016519913.tif 000023
【図２２】
2016519913.tif 000024
【図２３】
2016519913.tif 000025
【図２４】
2016519913.tif 000026
【図２５】
2016519913.tif 000027
【図２６】
2016519913.tif 000028
【図２７】
2016519913.tif 000029
【図２８】
2016519913.tif 000030
【国際調査報告】
2016519913.tif 000031
2016519913.tif 000032
2016519913.tif 000033
2016519913.tif 000034